(57)【要約】  本開示の態様は、分散非スケジュールド送信のためのネットワーク支援を提供する。スケジューリングエンティティは、非スケジュールドアップリンク送信のために、利用可能なリソースのサブセットから各リソースを選択することにおいて使用するためのそれぞれの確率を示す、非スケジュールド支援情報を従属エンティティに提供し得る。従属エンティティは、非スケジュールド支援情報に基づいて、非スケジュールドアップリンク送信のために、利用可能なリソースから少なくとも1つのリソースを選択し得る。
2019502304.tif 000002
【特許請求の範囲】
【請求項１】
非スケジュールドアップリンク送信を送信するための方法であって、
スケジューリングエンティティから、非スケジュールド支援情報を受信するステップであって、前記非スケジュールド支援情報が、少なくとも利用可能なリソースのサブセットについて、前記利用可能なリソースのサブセットから各リソースを選択することにおいて使用するためのそれぞれの確率を備える、ステップと、
前記非スケジュールド支援情報に基づいて、非スケジュールドアップリンク送信のために、前記利用可能なリソースから少なくとも1つの選択されたリソースを選択するステップと、
前記少なくとも1つの選択されたリソースを使用して、前記非スケジュールドアップリンク送信を送信するステップと
を含む方法。
【請求項２】
前記少なくとも1つの選択されたリソースが、タイムスロット、周波数、送信電力設定、変調およびコーディング方式、またはMIMOビームフォーミング設定のうちの少なくとも1つを備える、請求項1に記載の方法。
【請求項３】
前記非スケジュールド支援情報が、時間リソース情報、周波数リソース情報、送信電力設定情報、変調およびコーディング方式情報、または多入力多出力(MIMO)プリコーディングおよびランク選定情報のうちの少なくとも1つをさらに備える、請求項1に記載の方法。
【請求項４】
前記非スケジュールド支援情報が、前記時間リソース情報、前記周波数リソース情報、前記送信電力設定情報、前記変調およびコーディング方式情報、または前記多入力多出力(MIMO)プリコーディングおよびランク選定情報のうちの少なくとも2つの組合せを備える、請求項3に記載の方法。
【請求項５】
前記非スケジュールド支援情報が、非スケジュールドアップリンク送信のために、タイムスロット、周波数、送信電力設定、変調およびコーディング方式、またはMIMOビームフォーミング設定のうちの1つまたは複数を選択することにおいて使用するための前記それぞれの確率をさらに示す、請求項1に記載の方法。
【請求項６】
前記非スケジュールド支援情報が、非均一確率分布をさらに備える、請求項1に記載の方法。
【請求項７】
前記非スケジュールド支援情報が、非スケジュールドアップリンク送信のために、タイムスロット、周波数、送信電力設定、変調およびコーディング方式、またはMIMOビームフォーミング設定のうちの2つ以上の各組合せを選択することにおいて使用するための前記それぞれの確率をさらに示す、請求項1に記載の方法。
【請求項８】
前記非スケジュールド支援情報が、利用リソース情報をさらに備え、前記利用リソース情報が、他のスケジュールドアップリンク送信もしくは他の非スケジュールドアップリンク送信のうちの少なくとも1つのために使用中のアップリンクリソース、または、他のスケジュールドアップリンク送信もしくは他の非スケジュールドアップリンク送信のうちの少なくとも1つのために使用中であると予想されたアップリンクリソースのうちの、少なくとも1つを示す、請求項1に記載の方法。
【請求項９】
前記スケジューリングエンティティから、前記非スケジュールド支援情報を受信するステップが、
ユニキャストメッセージまたはブロードキャストメッセージにおいて、前記スケジューリングエンティティから、前記非スケジュールド支援情報を受信するステップ
をさらに含む、請求項1に記載の方法。
【請求項１０】
前記スケジューリングエンティティから、前記非スケジュールド支援情報を受信するステップが、
各サブフレームにおいて、それぞれの非スケジュールド支援情報を含む、それぞれの制御メッセージを受信するステップ
をさらに含む、請求項1に記載の方法。
【請求項１１】
前記スケジューリングエンティティに送信されるべきデータが、ミッションクリティカルなアプリケーションに関係するとの決定に応答して、前記非スケジュールドアップリンク送信を生成するステップ
をさらに含む、請求項1に記載の方法。
【請求項１２】
前記少なくとも1つの選択されたリソースが、前記利用可能なリソースのサブセットの外部にある、請求項1に記載の方法。
【請求項１３】
ワイヤレス通信ネットワークにおいてスケジューリングエンティティと通信するためのユーザ機器であって、
前記スケジューリングエンティティと通信するように構成されたワイヤレストランシーバと、
メモリと、
前記ワイヤレストランシーバおよび前記メモリに通信可能に結合されたプロセッサと
を備え、前記プロセッサが、
アップリンクキャリア上で前記スケジューリングエンティティと通信するための利用可能なリソースを決定することと、
前記ワイヤレストランシーバを介して、前記スケジューリングエンティティから、非スケジュールド支援情報を受信することであって、前記非スケジュールド支援情報が、少なくとも利用可能なリソースのサブセットについて、非スケジュールドアップリンク送信のために、前記利用可能なリソースのサブセットから各リソースを選択することにおいて使用するためのそれぞれの確率を備える、受信することと、
前記非スケジュールド支援情報に基づいて、非スケジュールドアップリンク送信のために、前記利用可能なリソースから少なくとも1つの選択されたリソースを選択することと、
前記ワイヤレストランシーバを介して、前記スケジューリングエンティティに、前記非スケジュールドアップリンク送信を送信することであって、前記非スケジュールドアップリンク送信が、前記少なくとも1つの選択されたリソースを利用する、送信することと
を行うように構成される、ユーザ機器。
【請求項１４】
前記少なくとも1つの選択されたリソースが、タイムスロット、周波数、送信電力設定、変調およびコーディング方式、またはMIMOビームフォーミング設定のうちの少なくとも1つを備える、請求項13に記載のユーザ機器。
【請求項１５】
前記非スケジュールド支援情報が、時間リソース情報、周波数リソース情報、送信電力設定情報、変調およびコーディング方式情報、または多入力多出力(MIMO)プリコーディングおよびランク選定情報のうちの少なくとも1つをさらに備える、請求項13に記載のユーザ機器。
【請求項１６】
前記非スケジュールド支援情報が、非スケジュールドアップリンク送信のために、タイムスロット、周波数、送信電力設定、変調およびコーディング方式、またはMIMOビームフォーミング設定のうちの1つまたは複数を選択することにおいて使用するための前記それぞれの確率をさらに示す、請求項13に記載のユーザ機器。
【請求項１７】
前記非スケジュールド支援情報が、非均一確率分布をさらに備える、請求項13に記載のユーザ機器。
【請求項１８】
前記非スケジュールド支援情報が、非スケジュールドアップリンク送信のために、タイムスロット、周波数、送信電力設定、変調およびコーディング方式、またはMIMOビームフォーミング設定のうちの2つ以上の各組合せを選択することにおいて使用するための前記それぞれの確率をさらに示す、請求項13に記載のユーザ機器。
【請求項１９】
前記非スケジュールド支援情報が、利用リソース情報をさらに備え、前記利用リソース情報が、他のスケジュールド送信もしくは他の非スケジュールド送信のうちの少なくとも1つのために使用中のアップリンクリソース、または、他のスケジュールド送信もしくは他の非スケジュールド送信のうちの少なくとも1つのために使用中であると予想されたアップリンクリソースのうちの、少なくとも1つを示す、請求項13に記載のユーザ機器。
【請求項２０】
前記プロセッサが、
ユニキャストメッセージまたはブロードキャストメッセージにおいて、前記非スケジュールド支援情報を受信すること
によって、前記非スケジュールド支援情報を受信するようにさらに構成される、請求項13に記載のユーザ機器。
【請求項２１】
前記プロセッサが、
各サブフレームにおいて、それぞれの非スケジュールド支援情報を含む、それぞれの制御メッセージを受信すること
によって、前記非スケジュールド支援情報を受信するようにさらに構成される、請求項13に記載のユーザ機器。
【請求項２２】
前記プロセッサが、
前記スケジューリングエンティティに送信されるべきデータが、ミッションクリティカルなアプリケーションに関係するとの決定に応答して、前記非スケジュールドアップリンク送信を生成すること
を行うようにさらに構成される、請求項13に記載のユーザ機器。
【請求項２３】
ワイヤレス通信ネットワークにおいてスケジューリングエンティティと通信するための従属エンティティ装置であって、
前記スケジューリングエンティティから、非スケジュールド支援情報を受信するための手段であって、前記非スケジュールド支援情報が、少なくとも利用可能なリソースのサブセットについて、前記利用可能なリソースのサブセットから各リソースを選択することにおいて使用するためのそれぞれの確率を備える、手段と、
前記非スケジュールド支援情報に基づいて、非スケジュールドアップリンク送信のために、前記利用可能なリソースから少なくとも1つの選択されたリソースを選択するための手段と、
前記スケジューリングエンティティに、前記非スケジュールドアップリンク送信を送信するための手段であって、前記非スケジュールドアップリンク送信が、前記少なくとも1つの選択されたリソースを利用する、手段と
を備える従属エンティティ装置。
【請求項２４】
前記非スケジュールド支援情報が、時間リソース情報、周波数リソース情報、送信電力設定情報、変調およびコーディング方式情報、または多入力多出力(MIMO)プリコーディングおよびランク選定情報のうちの少なくとも1つをさらに備える、請求項23に記載の従属エンティティ装置。
【請求項２５】
前記非スケジュールド支援情報が、非スケジュールドアップリンク送信のために、タイムスロット、周波数、送信電力設定、変調およびコーディング方式、またはMIMOビームフォーミング設定のうちの1つまたは複数を選択することにおいて使用するための前記それぞれの確率をさらに示す、請求項23に記載の従属エンティティ装置。
【請求項２６】
前記非スケジュールド支援情報が、利用リソース情報をさらに備え、前記利用リソース情報が、他のスケジュールド送信または他の非スケジュールド送信のうちの少なくとも1つのために使用中のアップリンクリソースを示す、請求項23に記載の従属エンティティ装置。
【請求項２７】
前記非スケジュールド支援情報を受信するための前記手段が、
ユニキャストメッセージまたはブロードキャストメッセージにおいて、前記非スケジュールド支援情報を受信するための手段
をさらに備える、請求項23に記載の従属エンティティ装置。
【請求項２８】
前記非スケジュールド支援情報を受信するための前記手段が、
各サブフレームにおいて、それぞれの非スケジュールド支援情報を含む、それぞれの制御メッセージを受信するための手段
をさらに備える、請求項23に記載の従属エンティティ装置。
【請求項２９】
コンピュータ実行可能コードを記憶する非一時的コンピュータ可読記憶媒体であって、
スケジューリングエンティティから、非スケジュールド支援情報を受信することであって、前記非スケジュールド支援情報が、少なくとも利用可能なリソースのサブセットについて、前記利用可能なリソースのサブセットから各リソースを選択することにおいて使用するためのそれぞれの確率を備える、受信することと、
前記非スケジュールド支援情報に基づいて、非スケジュールドアップリンク送信のために、前記利用可能なリソースから少なくとも1つの選択されたリソースを選択することと、
前記少なくとも1つの選択されたリソースを使用して、前記非スケジュールドアップリンク送信を送信することと
を行うためのコードを備える、非一時的コンピュータ可読記憶媒体。
【請求項３０】
前記非スケジュールド支援情報が、時間リソース情報、周波数リソース情報、送信電力設定情報、変調およびコーディング方式情報、多入力多出力(MIMO)プリコーディングおよびランク選定情報、または、他のアップリンク送信のために使用中のアップリンクリソースを示す利用リソース情報のうちの少なくとも1つをさらに備える、請求項29に記載の非一時的コンピュータ可読記憶媒体。
【請求項３１】
スケジューリングエンティティが非スケジュールドアップリンク送信をサポートするための方法であって、
少なくとも利用可能なリソースのサブセットについて、非スケジュールドアップリンク送信のために、前記利用可能なリソースのサブセットから各リソースを選択することにおいて、1つまたは複数の従属エンティティのセットによって使用するためのそれぞれの確率を備える、非スケジュールド支援情報を決定するステップと、
前記1つまたは複数の従属エンティティのセットに、前記非スケジュールド支援情報を含む制御メッセージを送信するステップと、
前記1つまたは複数の従属エンティティのセットのうちの従属エンティティから、非スケジュールドアップリンク送信を受信するステップであって、前記非スケジュールドアップリンク送信が、前記非スケジュールド支援情報に基づいて、前記従属エンティティによって選択された、前記利用可能なリソースからの少なくとも1つの選択されたリソースを利用する、ステップと
を含む方法。
【請求項３２】
前記少なくとも1つの選択されたリソースが、タイムスロット、周波数、送信電力設定、変調およびコーディング方式、またはMIMOビームフォーミング設定のうちの少なくとも1つを備える、請求項31に記載の方法。
【請求項３３】
前記非スケジュールド支援情報が、時間リソース情報、周波数リソース情報、送信電力設定情報、変調およびコーディング方式情報、または多入力多出力(MIMO)プリコーディングおよびランク選定情報のうちの少なくとも1つをさらに備える、請求項31に記載の方法。
【請求項３４】
前記非スケジュールド支援情報が、前記時間リソース情報、前記周波数リソース情報、前記送信電力設定情報、前記変調およびコーディング方式情報、または前記多入力多出力(MIMO)プリコーディングおよびランク選定情報のうちの少なくとも2つの組合せを備える、請求項33に記載の方法。
【請求項３５】
前記非スケジュールド支援情報が、非スケジュールドアップリンク送信のために、タイムスロット、周波数、送信電力設定、変調およびコーディング方式、またはMIMOビームフォーミング設定のうちの1つまたは複数を選択することにおいて、前記1つまたは複数の従属エンティティのセットによって使用するための前記それぞれの確率をさらに示す、請求項31に記載の方法。
【請求項３６】
前記非スケジュールド支援情報が、非均一確率分布をさらに備える、請求項31に記載の方法。
【請求項３７】
前記非スケジュールド支援情報が、非スケジュールドアップリンク送信のために、タイムスロット、周波数、送信電力設定、変調およびコーディング方式、またはMIMOビームフォーミング設定のうちの2つ以上の各組合せを選択することにおいて、前記1つまたは複数の従属エンティティのセットによって使用するための前記それぞれの確率をさらに示す、請求項31に記載の方法。
【請求項３８】
前記非スケジュールド支援情報が、利用リソース情報をさらに備え、前記利用リソース情報が、他のスケジュールドアップリンク送信もしくは他の非スケジュールドアップリンク送信のうちの少なくとも1つのために使用中のアップリンクリソース、または、他のスケジュールドアップリンク送信もしくは他の非スケジュールドアップリンク送信のうちの少なくとも1つのために使用中であると予想されたアップリンクリソースのうちの、少なくとも1つを示す、請求項31に記載の方法。
【請求項３９】
前記1つまたは複数の従属エンティティのセットに、前記非スケジュールド支援情報を含む前記制御メッセージを送信するステップが、
ユニキャストメッセージまたはブロードキャストメッセージにおいて、前記1つまたは複数の従属エンティティのセットに、前記非スケジュールド支援情報を含む前記制御メッセージを送信するステップ
をさらに含む、請求項31に記載の方法。
【請求項４０】
前記1つまたは複数の従属エンティティのセットに、前記非スケジュールド支援情報を含む前記制御メッセージを送信するステップが、
各サブフレームにおいて、それぞれの非スケジュールド支援情報を含む、それぞれの制御メッセージを送信するステップ
をさらに含む、請求項31に記載の方法。
【請求項４１】
前記方法が、
別のスケジューリングエンティティから、追加の非スケジュールド支援情報を受信するステップ
をさらに含み、
前記非スケジュールド支援情報を決定するステップが、前記追加の非スケジュールド支援情報に基づいて、前記非スケジュールド支援情報を決定するステップをさらに含む、請求項31に記載の方法。
【請求項４２】
1つまたは複数の他のスケジューリングエンティティに、前記非スケジュールド支援情報を送信するステップ
をさらに含む、請求項31に記載の方法。
【請求項４３】
ワイヤレス通信ネットワークにおいて1つまたは複数の従属エンティティのセットとのワイヤレス通信を管理するように構成された、スケジューリングエンティティであって、
前記従属エンティティのセットと通信するように構成されたワイヤレストランシーバと、
メモリと、
前記ワイヤレストランシーバおよび前記メモリに通信可能に結合されたプロセッサと
を備え、前記プロセッサが、
アップリンクキャリア上で前記1つまたは複数の従属エンティティのセットと通信するための利用可能なリソースを決定することと、
少なくとも前記利用可能なリソースのサブセットについて、非スケジュールドアップリンク送信のために、前記利用可能なリソースのサブセットから各リソースを選択することにおいて、前記1つまたは複数の従属エンティティのセットによって使用するためのそれぞれの確率を備える、非スケジュールド支援情報を決定することと、
前記ワイヤレストランシーバを介して、前記1つまたは複数の従属エンティティのセットに、前記非スケジュールド支援情報を含む制御メッセージを送信することと、
前記ワイヤレストランシーバを介して、前記1つまたは複数の従属エンティティのセットのうちの従属エンティティから、非スケジュールドアップリンク送信を受信することであって、前記非スケジュールドアップリンク送信が、前記非スケジュールド支援情報に基づいて、前記従属エンティティによって選択された、前記利用可能なリソースからの少なくとも1つの選択されたリソースを利用する、受信することと
を行うように構成される、スケジューリングエンティティ。
【請求項４４】
前記少なくとも1つの選択されたリソースが、タイムスロット、周波数、送信電力設定、変調およびコーディング方式、またはMIMOビームフォーミング設定のうちの少なくとも1つを備える、請求項43に記載のスケジューリングエンティティ。
【請求項４５】
前記非スケジュールド支援情報が、時間リソース情報、周波数リソース情報、送信電力設定情報、変調およびコーディング方式情報、または多入力多出力(MIMO)プリコーディングおよびランク選定情報のうちの少なくとも1つをさらに備える、請求項43に記載のスケジューリングエンティティ。
【請求項４６】
前記非スケジュールド支援情報が、非スケジュールドアップリンク送信のために、タイムスロット、周波数、送信電力設定、変調およびコーディング方式、またはMIMOビームフォーミング設定のうちの1つまたは複数を選択することにおいて、前記1つまたは複数の従属エンティティのセットによって使用するための前記それぞれの確率をさらに示す、請求項43に記載のスケジューリングエンティティ。
【請求項４７】
前記非スケジュールド支援情報が、非均一確率分布をさらに備える、請求項43に記載のスケジューリングエンティティ。
【請求項４８】
前記非スケジュールド支援情報が、非スケジュールドアップリンク送信のために、タイムスロット、周波数、送信電力設定、変調およびコーディング方式、またはMIMOビームフォーミング設定のうちの2つ以上の各組合せを選択することにおいて、前記1つまたは複数の従属エンティティのセットによって使用するための前記それぞれの確率をさらに示す、請求項43に記載のスケジューリングエンティティ。
【請求項４９】
前記非スケジュールド支援情報が、利用リソース情報をさらに備え、前記利用リソース情報が、他のスケジュールド送信もしくは他の非スケジュールド送信のうちの少なくとも1つのために使用中のアップリンクリソース、または、他のスケジュールド送信もしくは他の非スケジュールド送信のうちの少なくとも1つのために使用中であると予想されたアップリンクリソースのうちの、少なくとも1つを示す、請求項43に記載のスケジューリングエンティティ。
【請求項５０】
前記プロセッサが、
ユニキャストメッセージまたはブロードキャストメッセージにおいて、前記1つまたは複数の従属エンティティのセットに、前記非スケジュールド支援情報を含む前記制御メッセージを送信すること
によって、前記1つまたは複数の従属エンティティのセットに、前記非スケジュールド支援情報を含む前記制御メッセージを送信するようにさらに構成される、請求項43に記載のスケジューリングエンティティ。
【請求項５１】
前記プロセッサが、
各サブフレームにおいて、それぞれの非スケジュールド支援情報を含む、それぞれの制御メッセージを送信すること
によって、前記1つまたは複数の従属エンティティのセットに、前記非スケジュールド支援情報を含む前記制御メッセージを送信するようにさらに構成される、請求項43に記載のスケジューリングエンティティ。
【請求項５２】
前記プロセッサが、
別のスケジューリングエンティティから、追加の非スケジュールド支援情報を受信すること
を行うようにさらに構成され、
前記プロセッサが、前記非スケジュールド支援情報を決定するために、前記追加の非スケジュールド支援情報を利用することによって、前記非スケジュールド支援情報を決定するようにさらに構成される、請求項43に記載のスケジューリングエンティティ。
【請求項５３】
前記プロセッサが、
1つまたは複数の他のスケジューリングエンティティに、前記非スケジュールド支援情報を送信すること
を行うようにさらに構成される、請求項43に記載のスケジューリングエンティティ。
【請求項５４】
ワイヤレス通信ネットワークにおいて従属エンティティのセットとのワイヤレス通信を管理するように構成された、スケジューリングエンティティ装置であって、
少なくとも利用可能なリソースのサブセットについて、非スケジュールドアップリンク送信のために、前記利用可能なリソースのサブセットから各リソースを選択することにおいて、1つまたは複数の従属エンティティのセットによって使用するためのそれぞれの確率を備える、非スケジュールド支援情報を決定するための手段と、
前記1つまたは複数の従属エンティティのセットに、前記非スケジュールド支援情報を含む制御メッセージを送信するための手段と、
前記1つまたは複数の従属エンティティのセットのうちの従属エンティティから、非スケジュールドアップリンク送信を受信するための手段であって、前記非スケジュールドアップリンク送信が、前記非スケジュールド支援情報に基づいて、前記従属エンティティによって選択された、前記利用可能なリソースからの少なくとも1つの選択されたリソースを利用する、手段と
を備えるスケジューリングエンティティ装置。
【請求項５５】
前記非スケジュールド支援情報が、時間リソース情報、周波数リソース情報、送信電力設定情報、変調およびコーディング方式情報、または多入力多出力(MIMO)プリコーディングおよびランク選定情報のうちの少なくとも1つをさらに備える、請求項54に記載のスケジューリングエンティティ装置。
【請求項５６】
前記非スケジュールド支援情報が、非スケジュールドアップリンク送信のために、タイムスロット、周波数、送信電力設定、変調およびコーディング方式、またはMIMOビームフォーミング設定のうちの1つまたは複数を選択することにおいて、前記1つまたは複数の従属エンティティのセットによって使用するための前記それぞれの確率をさらに示す、請求項54に記載のスケジューリングエンティティ装置。
【請求項５７】
前記非スケジュールド支援情報が、利用リソース情報をさらに備え、前記利用リソース情報が、他のスケジュールド送信または他の非スケジュールド送信のうちの少なくとも1つのために使用中のアップリンクリソースを示す、請求項54に記載のスケジューリングエンティティ装置。
【請求項５８】
前記1つまたは複数の従属エンティティのセットに、前記非スケジュールド支援情報を含む前記制御メッセージを送信するための前記手段が、
ユニキャストメッセージまたはブロードキャストメッセージにおいて、前記1つまたは複数の従属エンティティのセットに、前記非スケジュールド支援情報を含む前記制御メッセージを送信するための手段
をさらに備える、請求項54に記載のスケジューリングエンティティ装置。
【請求項５９】
前記1つまたは複数の従属エンティティのセットに、前記非スケジュールド支援情報を含む前記制御メッセージを送信するための前記手段が、
各サブフレームにおいて、それぞれの非スケジュールド支援情報を含む、それぞれの制御メッセージを送信するための手段
をさらに備える、請求項54に記載のスケジューリングエンティティ装置。
【請求項６０】
前記スケジューリングエンティティ装置が、
別のスケジューリングエンティティから、追加の非スケジュールド支援情報を受信するための手段
をさらに備え、
前記非スケジュールド支援情報を決定するための前記手段が、前記追加の非スケジュールド支援情報に基づいて、前記非スケジュールド支援情報を決定するための手段をさらに備える、請求項54に記載のスケジューリングエンティティ装置。
【請求項６１】
1つまたは複数の他のスケジューリングエンティティに、前記非スケジュールド支援情報を送信するための手段
をさらに備える、請求項54に記載のスケジューリングエンティティ装置。
【発明の詳細な説明】
【技術分野】
【０００１】
優先権主張
本特許出願は、本出願の譲受人に譲渡され、参照により本明細書に明確に組み込まれる、2015年12月11日に出願された「Network Assistance for Distributed Unscheduled Transmissions」という名称の仮出願第62/266,524号、および2016年6月23日に出願された「Network Assistance for Distributed Unscheduled Transmissions」という名称の非仮出願第15/191,370号の優先権を主張する。
【０００２】
本開示の態様は、一般にワイヤレス通信システムに関し、より詳細には、ワイヤレス通信システムにおける分散非スケジュールドアップリンク送信に関する。
【背景技術】
【０００３】
ワイヤレス通信ネットワークは、電話、ビデオ、データ、メッセージング、ブロードキャストなど、様々な通信サービスを提供するために広く展開されている。そのようなネットワークは、通常、多元接続ネットワークであり、利用可能なネットワークリソースを共有することによって複数のユーザのための通信をサポートする。
【０００４】
そのようなワイヤレス通信ネットワークに割り振られたスペクトルは、典型的には、基地局からユーザ機器へのダウンリンク送信と、ユーザ機器から基地局へのアップリンク送信との間で分配される。セルラーシステムにおけるアップリンク送信は、典型的には、要求-許可手順を利用するスケジュールドモードにおいて動作し、要求-許可手順において、ユーザ機器は、基地局にスケジューリング要求を送信し、基地局は、送信を可能にする許可で応答する。
【０００５】
しかしながら、要求-許可のプロセスは、アップリンク送信において遅延をもたらすことがあり、それによって、遅延敏感なアプリケーションに悪影響を及ぼすことがある。要求-許可手順の代替手法は、ユーザ機器が、分散非スケジュールド動作モードにおいて、許可を待機することなしに、アップリンク送信を開始することを伴う。時間周波数リソースにわたって分散され得る、そのような非スケジュールド送信は、進行中のスケジュールド送信から、または他の非スケジュールド送信からの干渉を受けることがある。
【発明の概要】
【課題を解決するための手段】
【０００６】
以下では、本開示の1つまたは複数の態様の基本的理解を与えるために、そのような態様の簡略化された概要を提示する。本概要は、本開示のすべての企図される特徴の広範な概観ではなく、本開示のすべての態様の主要または重要な要素を識別するものでも、本開示のいずれかまたはすべての態様の範囲を定めるものでもない。その唯一の目的は、後で提示されるより詳細な説明の前置きとして、本開示の1つまたは複数の態様のいくつかの概念を簡略化した形で提示することである。
【０００７】
本開示の様々な態様は、本明細書では非スケジュールドアップリンク送信と呼ばれる、分散非スケジュールド送信のためのネットワーク支援を提供する。基地局または他のスケジューリングエンティティなど、ネットワークデバイスは、1つまたは複数のユーザ機器(UE)、または他の従属エンティティに、非スケジュールドアップリンク送信において使用するために推奨される、利用可能なリソースのサブセットを示す、非スケジュールド支援情報を提供し得る。従属エンティティは、非スケジュールドアップリンク送信のために、利用可能なリソースから少なくとも1つのリソースを選択するために、非スケジュールド支援情報を利用し得る。非スケジュールド支援情報は、たとえば、推奨時間および/もしくは周波数リソース、推奨送信電力設定、推奨変調およびコーディング方式、推奨多入力多出力(MIMO)プリコーディングおよびランク選定、ならびに/または他のアップリンク送信のために使用中の利用リソースを含み得る。
【０００８】
一態様では、本開示は、非スケジュールドアップリンク送信を送信するための方法を提供する。方法は、スケジューリングエンティティから、利用可能なリソースのサブセットから各リソースを選択することにおいて使用するためのそれぞれの確率を含む、非スケジュールド支援情報を受信するステップを含む。方法は、非スケジュールド支援情報に基づいて、非スケジュールドアップリンク送信のために、利用可能なリソースから少なくとも1つの選択されたリソースを選択するステップと、少なくとも1つの選択されたリソースを使用して、非スケジュールドアップリンク送信を送信するステップとをさらに含む。
【０００９】
本開示の別の態様は、ワイヤレス通信ネットワークにおいてスケジューリングエンティティと通信するための従属エンティティを提供する。従属エンティティは、スケジューリングエンティティと通信するように構成されたワイヤレストランシーバと、メモリと、ワイヤレストランシーバおよびメモリに通信可能に結合されたプロセッサとを含む。プロセッサは、アップリンクキャリア上でスケジューリングエンティティと通信するための利用可能なリソースを決定することと、ワイヤレストランシーバを介して、スケジューリングエンティティから、非スケジュールド支援情報を受信することとを行うように構成される。非スケジュールド支援情報は、利用可能なリソースのサブセットから各リソースを選択することにおいて使用するためのそれぞれの確率を含む。プロセッサは、非スケジュールド支援情報に基づいて、非スケジュールドアップリンク送信のために、利用可能なリソースから少なくとも1つの選択されたリソースを選択することと、少なくとも1つの選択されたリソースを利用して、ワイヤレストランシーバを介して、スケジューリングエンティティに、非スケジュールドアップリンク送信を送信することとを行うようにさらに構成される。
【００１０】
本開示の別の態様は、ワイヤレス通信ネットワークにおいてスケジューリングエンティティと通信するための従属エンティティ装置を提供する。従属エンティティ装置は、スケジューリングエンティティから、非スケジュールド支援情報を受信するための手段を含む。非スケジュールド支援情報は、利用可能なリソースのサブセットから各リソースを選択することにおいて使用するためのそれぞれの確率を含む。従属エンティティ装置は、非スケジュールド支援情報に基づいて、非スケジュールドアップリンク送信のために、利用可能なリソースから少なくとも1つの選択されたリソースを選択するための手段と、少なくとも1つの選択されたリソースを利用して、従属エンティティからスケジューリングエンティティに、非スケジュールドアップリンク送信を送信するための手段とをさらに含む。
【００１１】
本開示の別の態様は、コンピュータ実行可能コードを記憶する非一時的コンピュータ可読媒体を提供し、非一時的コンピュータ可読媒体は、スケジューリングエンティティから、非スケジュールド支援情報を受信するためのコードであって、非スケジュールド支援情報が、利用可能なリソースのサブセットから各リソースを選択することにおいて使用するためのそれぞれの確率を含む、コードと、非スケジュールド支援情報に基づいて、非スケジュールドアップリンク送信のために、利用可能なリソースから少なくとも1つの選択されたリソースを選択するためのコードと、少なくとも1つの選択されたリソースを使用して、非スケジュールドアップリンク送信を送信するためのコードとを含む。
【００１２】
本開示の追加の態様の例が以下に続く。本開示のいくつかの態様では、少なくとも1つの選択されたリソースは、タイムスロット、周波数、送信電力設定、変調およびコーディング方式、またはMIMOビームフォーミング設定のうちの少なくとも1つを含む。
【００１３】
本開示のいくつかの態様では、非スケジュールド支援情報は、時間リソース情報、周波数リソース情報、送信電力設定情報、変調およびコーディング方式情報、または多入力多出力(MIMO)プリコーディングおよびランク選定情報などのうちの少なくとも1つをさらに含み得る。いくつかの例では、非スケジュールド支援情報は、時間リソース情報、周波数リソース情報、送信電力設定情報、変調およびコーディング方式情報、または多入力多出力(MIMO)プリコーディングおよびランク選定情報のうちの少なくとも2つの組合せを含む。本開示のいくつかの態様では、非スケジュールド支援情報は、他のスケジュールドアップリンク送信または他の非スケジュールドアップリンク送信のうちの少なくとも1つのために使用中のアップリンクリソースを示す、利用リソース情報をさらに含む。
【００１４】
本開示のいくつかの態様では、非スケジュールド支援情報は、タイムスロット、周波数、送信電力設定、変調およびコーディング方式、またはMIMOビームフォーミング設定のうちの1つまたは複数を選択することにおいて使用するためのそれぞれの確率を示す。いくつかの例では、非スケジュールド支援情報は、非均一確率分布を含む。いくつかの例では、非スケジュールド支援情報は、タイムスロット、周波数、送信電力設定、変調およびコーディング方式、またはMIMOビームフォーミング設定のうちの2つ以上の各組合せを選択することにおいて使用するためのそれぞれの確率を示す。
【００１５】
本開示のいくつかの態様では、方法は、ユニキャストメッセージまたはブロードキャストメッセージにおいて、スケジューリングエンティティから、非スケジュールド支援情報を受信するステップをさらに含む。本開示のいくつかの態様では、方法は、各サブフレームにおいて、それぞれの非スケジュールド支援情報を含む、それぞれの制御メッセージを受信するステップをさらに含む。本開示のいくつかの態様では、方法は、スケジューリングエンティティに送信されるべきデータがミッションクリティカルなアプリケーションに関係するとの決定に応答して、非スケジュールドアップリンク送信を生成するステップをさらに含む。本開示のいくつかの態様では、少なくとも1つの選択されたリソースは、利用可能なリソースのサブセットの外部にある。
【００１６】
本発明のこれらおよび他の態様は、以下の発明を実施するための形態を検討すれば、より十分に理解されよう。本発明の特定の例示的な実施形態の以下の説明を、添付図面とともに検討すれば、本発明の他の態様、特徴、および実施形態が当業者には明らかになるであろう。本発明の特徴について、以下のいくつかの実施形態および図に関して説明する場合があるが、本発明のすべての実施形態は、本明細書で説明する有利な特徴のうちの1つまたは複数を含むことができる。言い換えれば、1つまたは複数の実施形態について、いくつかの有利な特徴を有するものとして説明する場合があるが、そのような特徴のうちの1つまたは複数は、本明細書で説明する本発明の様々な実施形態に従って使用される場合もある。同様に、例示的な実施形態について、デバイス、システム、または方法の実施形態として以下で説明する場合があるが、そのような例示的な実施形態は、様々なデバイス、システム、および方法において実装され得ることを理解されたい。
【図面の簡単な説明】
【００１７】
【図１】ネットワークアーキテクチャの一例を示す図である。
【図２】いくつかの実施形態による、1つまたは複数の従属エンティティと通信するスケジューリングエンティティの一例を概念的に示すブロック図である。
【図３】いくつかの実施形態による、処理システムを採用するスケジューリングエンティティのためのハードウェア実装形態の一例を示すブロック図である。
【図４】いくつかの実施形態による、処理システムを採用する従属エンティティのためのハードウェア実装形態の一例を示すブロック図である。
【図５】衝突し得る時間周波数リソースを利用する、スケジュールドアップリンク送信および非スケジュールドアップリンク送信の一例を示す図である。
【図６】非スケジュールド支援情報に基づいて選択された時間周波数リソースを利用する、スケジュールドアップリンク送信および非スケジュールドアップリンク送信の一例を示す図である。
【図７】衝突し得る時間リソースを利用する非スケジュールドアップリンク送信の一例を示す図である。
【図８】非スケジュールド支援情報に基づいて選択された時間リソースを利用する、非スケジュールドアップリンク送信の一例を示す図である。
【図９】推奨周波数リソースの確率分布の一例を示す図である。
【図１０】非スケジュールド支援情報を利用する非スケジュールドアップリンク送信を容易にするための方法のフローチャートである。
【図１１】非スケジュールド支援情報に基づく非スケジュールドアップリンク送信のための方法のフローチャートである。
【図１２】非スケジュールド支援情報に基づく非スケジュールドアップリンク送信のための別の方法のフローチャートである。
【発明を実施するための形態】
【００１８】
添付の図面に関して以下に記載する発明を実施するための形態は、様々な構成について説明するものであり、本明細書で説明する概念が実践され得る唯一の構成を表すものではない。発明を実施するための形態は、様々な概念の十分な理解をもたらすための具体的な詳細を含む。しかしながら、これらの概念がこれらの具体的な詳細なしに実践され得ることが、当業者に明らかであろう。いくつかの事例では、よく知られている構造および構成要素は、そのような概念を不明瞭にすることを避けるために、ブロック図の形で示される。
【００１９】
本開示全体にわたって提示される様々な概念は、多種多様な電気通信システム、ネットワークアーキテクチャ、および通信規格にわたって実装され得る。次に図1を参照すると、限定ではなく例示的な例として、アクセスネットワーク100の簡単な概略図が与えられている。
【００２０】
アクセスネットワーク100によってカバーされた地理的領域は、マクロセル102、104、および106、ならびにスモールセル108を含む、いくつかのセルラー領域(セル)に分割され得、セルラー領域(セル)の各々は、1つまたは複数のセクタを含み得る。セルは、(たとえば、カバレージエリアによって)地理的に定義され得、かつ/または、周波数、スクランブリングコードなどに従って定義され得る。セクタに分割されるセルでは、セル内の複数のセクタは、アンテナのグループによって形成され得、各アンテナは、セルの一部分におけるモバイルデバイスとの通信を担う。
【００２１】
一般に、無線トランシーバ装置は、各セルにサービスする。無線トランシーバ装置は、多数のワイヤレス通信システムにおいて一般に基地局(BS)と呼ばれるが、当業者によって、基地トランシーバ局(BTS)、無線基地局、無線トランシーバ、トランシーバ機能、基本サービスセット(BSS)、拡張サービスセット(ESS)、アクセスポイント(AP)、ノードB、eノードB、または何らかの他の好適な用語で呼ばれることもある。
【００２２】
図1では、2つの高電力基地局110および112が、セル102および104内に示されており、第3の高電力基地局114が、セル106内のリモートラジオヘッド(RRH)116を制御するように示されている。この例では、セル102、104、および106は、マクロセルと呼ばれることがあり、その理由は、高電力基地局110、112、および114が、大きいサイズを有するセルをサポートするからである。さらに、低電力基地局118が、1つまたは複数のマクロセルと重複し得るスモールセル108(たとえば、マイクロセル、ピコセル、フェムトセル、ホーム基地局、ホームノードB、ホームeノードBなど)内に示されている。この例では、セル108は、スモールセルと呼ばれることがあり、その理由は、低電力基地局118が、比較的小さいサイズを有するセルをサポートするからである。セルのサイズ決定は、システム設計ならびに構成要素制約に従って行われ得る。アクセスネットワーク100は、任意の数のワイヤレス基地局およびセルを含み得ることを理解されたい。基地局110、112、114、118は、ワイヤレスアクセスポイントを任意の数のモバイル装置のためのコアネットワークに提供する。
【００２３】
図1は、基地局として機能するように構成され得る、クアッドコプターまたはドローン120をさらに含む。すなわち、いくつかの例では、セルは、必ずしも静止しているとは限らないことがあり、セルの地理的エリアは、クアッドコプター120などのモバイル基地局のロケーションに従って移動し得る。
【００２４】
いくつかの例では、基地局は、任意の好適なトランスポートネットワークを使用して、直接物理接続、仮想ネットワークなど、様々なタイプのバックホールインターフェースを通して、アクセスネットワーク100内で互いに、および/または1つまたは複数の他の基地局もしくはネットワークノード(図示せず)に相互接続され得る。
【００２５】
アクセスネットワーク100は、複数のモバイル装置のためのワイヤレス通信をサポートするように示されている。モバイル装置は、第3世代パートナーシッププロジェクト(3GPP)によって普及された規格および仕様では、一般にユーザ機器(UE)と呼ばれるが、当業者によって、移動局(MS)、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末(AT)、モバイル端末、ワイヤレス端末、リモート端末、ハンドセット、端末、ユーザエージェント、モバイルクライアント、クライアント、または何らかの他の好適な用語で呼ばれることもある。
【００２６】
本書内で、「モバイル」装置は、必ずしも移動するための能力を有する必要があるとは限らず、静止していてもよい。モバイル装置のいくつかの非限定的な例には、モバイル、セルラー(セル)フォン、スマートフォン、セッション開始プロトコル(SIP)フォン、ラップトップ、パーソナルコンピュータ(PC)、ノートブック、ネットブック、スマートブック、タブレット、および携帯情報端末(PDA)が含まれる。モバイル装置は、加えて、自動車もしくは他の輸送車両、衛星無線、全地球測位システム(GPS)デバイス、物流コントローラ、ドローン、マルチコプター、クアッドコプター、スマートエネルギーまたはセキュリティデバイス、都市照明、用水、または他のインフラストラクチャなどの「モノのインターネット」(IoT)デバイス、工業オートメーションおよびエンタープライズデバイス、アイウェア、ウェアラブルカメラ、スマートウォッチ、ヘルスまたはフィットネストラッカー、デジタルオーディオプレーヤ(たとえば、MP3プレーヤ)、カメラ、ゲームコンソールなどのコンシューマおよびウェアラブルデバイス、ならびに、ホームオーディオ、ビデオおよびマルチメディアデバイス、アプライアンス、センサー、自動販売機、インテリジェント照明、ホームセキュリティシステム、スマートメーターなどのデジタルホームまたはスマートホームデバイスであり得る。
【００２７】
アクセスネットワーク100内で、セルは、各セルの1つまたは複数のセクタと通信中であり得るUEを含み得る。たとえば、UE122および124は、基地局110と通信中であり得、UE126および128は、基地局112と通信中であり得、UE130および132は、RRH116を介して基地局114と通信中であり得、UE134は、低電力基地局118と通信中であり得、UE136は、モバイル基地局120と通信中であり得る。ここで、各基地局110、112、114、118、および120は、それぞれのセル内のすべてのUEのためのコアネットワーク(図示せず)へのアクセスポイントを提供するように構成され得る。
【００２８】
別の例では、クアッドコプター120は、UEとして機能するように構成され得る。たとえば、クアッドコプター120は、基地局110と通信することによって、セル102内で動作し得る。
【００２９】
アクセスネットワーク100内のエアインターフェースは、1つまたは複数の多重化および多元接続アルゴリズムを利用して、様々なデバイスの同時通信を可能にし得る。たとえば、UE122および124から基地局110へのアップリンク(UL)または逆方向リンク送信のための多元接続は、時分割多元接続(TDMA)、符号分割多元接続(CDMA)、周波数分割多元接続(FDMA)、直交周波数分割多元接続(OFDMA)、または他の好適な多元接続方式を利用して提供され得る。さらに、基地局110からUE122および124へのダウンリンク(DL)または順方向リンク送信の多重化は、時分割多重化(TDM)、符号分割多重化(CDM)、周波数分割多重化(FDM)、直交周波数分割多重化(OFDM)、または他の好適な多重化方式を利用して提供され得る。
【００３０】
アクセスネットワーク100内で、スケジューリングエンティティとの呼の間、または任意の他の時間に、UEは、そのサービングセルからの信号の様々なパラメータ、ならびに近隣セルの様々なパラメータを監視し得る。さらに、これらのパラメータの品質に応じて、UEは、近隣セルのうちの1つまたは複数との通信を維持し得る。この時間の間に、UEがあるセルから別のセルに移動する場合、または近隣セルからの信号品質が、所与の時間量にわたってサービングセルからの信号品質を超える場合、UEは、サービングセルから近隣(ターゲット)セルへのハンドオフまたはハンドオーバを引き受けることがある。たとえば、UE124は、そのサービングセル102に対応する地理的エリアから、ネイバーセル106に対応する地理的エリアに移動し得る。ネイバーセル106からの信号強度または品質が、所与の時間量にわたって、そのサービングセル102の信号強度または品質を超えるとき、UE124は、この状態を示す報告メッセージを、そのサービング基地局110に送信し得る。応答して、UE124は、ハンドオーバコマンドを受信し得、UEは、セル106へのハンドオーバを受け得る。
【００３１】
いくつかの例では、エアインターフェースへのアクセスがスケジュールされ得、それにおいて、スケジューリングエンティティ(たとえば、基地局)は、そのサービスエリアまたはセル内の一部または全部のデバイスおよび機器の間の通信のためにリソースを割り振る。本開示内で、以下でさらに説明するように、スケジューリングエンティティは、1つまたは複数の従属エンティティのためのリソースのスケジューリング、割当て、再構成、および解放を担い得る。すなわち、スケジュールド通信のために、従属エンティティは、スケジューリングエンティティによって割り振られるリソースを利用する。
【００３２】
本開示の様々な態様では、いくつかのアプリケーションは、遅延敏感であり得、また、高い信頼性を必要とし、以下でミッションクリティカルなアプリケーションと呼ばれることがある。たとえば、いくつかのアプリケーションは、スケジュールド動作モードを使用して満たされないことがある、遅延要件および信頼性要件を有することがある。そのようなミッションクリティカルなアプリケーションは、アップリンク送信がリソースの許可を待機することなしに送信される、非スケジュールド動作モードを利用し得る。いくつかの例では、スケジューリング要求は、必要な場合、再送信のためのリソースの許可を与えるために、非スケジュールド送信と並行して送られ得る。
【００３３】
基地局は、スケジューリングエンティティとして機能し得る唯一のエンティティではない。すなわち、いくつかの例では、UEが、1つまたは複数の従属エンティティ(たとえば、1つまたは複数の他のUE)のためのリソースをスケジュールする、スケジューリングエンティティとして機能し得る。たとえば、UE138は、UE140および142と通信するように示されている。この例では、UE138は、スケジューリングエンティティとして機能しており、UE140および142は、ワイヤレス通信のために、UE138によってスケジュールされたリソースを利用する。UEは、ピアツーピア(P2P)ネットワーク内、および/またはメッシュネットワーク内で、スケジューリングエンティティとして機能し得る。メッシュネットワーク例では、UE140および142は、スケジューリングエンティティ138と通信することに加えて、場合によっては互いに直接通信し得る。
【００３４】
したがって、時間周波数リソースへのスケジュールドアクセスを伴い、セルラー構成、P2P構成、またはメッシュ構成を有するワイヤレス通信ネットワークでは、スケジューリングエンティティおよび1つまたは複数の従属エンティティは、スケジュールされたリソースを利用して通信し得る。次に図2を参照すると、ブロック図が、スケジューリングエンティティ202と、複数の従属エンティティ204とを示す。ここで、スケジューリングエンティティ202は、基地局110、112、114、および118に対応し得る。追加の例では、スケジューリングエンティティ202は、UE138、クアッドコプター120、またはアクセスネットワーク100内の任意の他の好適なノードに対応し得る。同様に、様々な例では、従属エンティティ204は、UE122、124、126、128、130、132、134、136、138、140、および142、またはアクセスネットワーク100内の任意の他の好適なノードに対応し得る。
【００３５】
図2に示されるように、スケジューリングエンティティ202は、1つまたは複数の従属エンティティ204にデータ206をブロードキャストし得る(データは、ダウンリンクデータと呼ばれることがある)。本開示のいくつかの態様によれば、ダウンリンク(DL)という用語は、スケジューリングエンティティ202において発するポイントツーマルチポイント送信を指すことがある。概して、スケジューリングエンティティ202は、ダウンリンク送信と、いくつかの例では、1つまたは複数の従属エンティティからスケジューリングエンティティ202へのアップリンクデータ210とを含む、ワイヤレス通信ネットワーク内のトラフィックをスケジュールすることを担うノードまたはデバイスである。システムについて説明するための別の方法は、ブロードキャストチャネル多重化という用語を使用することであり得る。本開示の態様によれば、アップリンク(UL)という用語は、従属エンティティ204において発するポイントツーポイント送信を指すことがある。概して、従属エンティティ204は、限定はしないが、スケジューリングエンティティ202などのワイヤレス通信ネットワーク内の別のエンティティからの、スケジューリング許可、同期情報もしくはタイミング情報、または他の制御情報を含む、スケジューリング制御情報を受信するノードまたはデバイスである。
【００３６】
スケジューリングエンティティ202は、1つまたは複数の従属エンティティ204に制御チャネル208をブロードキャストし得る。いくつかの例では、制御チャネル208は、1次同期信号(PSS)、2次同期信号、物理ブロードキャストチャネル(PBCH)、または物理ダウンリンク制御チャネル(PDCCH)(または、拡張PDCCH(EPDCCH))であり得る。PSSは、キャリア周波数およびサブフレームタイミングにおいて情報を搬送し、SSSは、フレームタイミングにおいて情報を搬送し、PBCHは、チャネル帯域幅情報を含むマスタ情報ブロック(MIB)を搬送し、PDCCHは、アップリンク電力情報と、アップリンクおよびダウンリンクデータのためのリソース割振りとを搬送する。リソース構成情報は、ダウンリンクデータをさらに搬送する物理ダウンリンク共有チャネル(PDSCH)において搬送され得る、1つまたは複数のセッション情報ブロック(SIB)内にさらに含まれ得る。
【００３７】
アップリンクデータ210および/またはダウンリンクデータ206は、送信時間間隔(TTI)を使用して送信され得る。この場合、TTIは、独立して復号され得る、カプセル化された情報のセットまたはパケットに対応し得る。様々な例では、TTIは、フレーム、サブフレーム、リソースブロック、タイムスロット、または送信のためのビットの他の好適なグループ化に対応し得る。
【００３８】
さらに、従属エンティティ204は、アップリンク制御情報212をスケジューリングエンティティ202に送信し得る。アップリンク制御情報は、パイロット、基準信号、およびアップリンクデータ送信を復号することを可能にするかまたは支援するように構成された情報を含む、様々なパケットタイプおよびカテゴリーを含み得る。いくつかの例では、制御情報212は、スケジューリング要求(SR)、すなわち、スケジューリングエンティティ202がアップリンク送信をスケジュールすることを求める要求を含み得る。ここで、制御チャネル212上で送信されたSRに応答して、スケジューリングエンティティ202は、アップリンクパケットのためのTTIをスケジュールし得る情報を、ダウンリンク制御チャネル208において送信し得る。さらなる例では、アップリンク制御チャネル212は、肯定応答(ACK)または否定応答(NACK)などのハイブリッド自動再送要求(HARQ)フィードバック送信を含み得る。HARQは当業者によく知られている技法であり、パケット送信が精度について受信側でチェックされ得、確認された場合、ACKが送信され得るが、確認されなかった場合、NACKが送信され得る。NACKに応答して、送信側デバイスは、HARQ再送信を送り得、HARQ再送信は、チェイス合成、インクリメンタル冗長などを実装し得る。
【００３９】
図2において示されたチャネルは、必ずしも、スケジューリングエンティティ202と従属エンティティ204との間で利用され得るチャネルのすべてであるとは限らず、当業者は、他のデータチャネル、制御チャネル、およびフィードバックチャネルなど、他のチャネルが、図示されたチャネルに加えて利用され得ることを認識するであろう。
【００４０】
本開示の一態様では、従属エンティティ204は、非スケジュールド動作モードで、スケジューリングエンティティ202に非スケジュールドアップリンク送信(制御および/またはデータ)をさらに送信し得る。非スケジュールド動作モードで、従属エンティティ204は、スケジューリングエンティティ202からのリソースの許可を待機することなしに、アップリンクサブキャリア上で情報を生成および送信する。従属エンティティ204は、様々な理由のために、非スケジュールド動作モードで動作し得る。たとえば、要求-許可トランザクションは、アップリンク送信に遅延をもたらすことがあり、それによって、遅延敏感であり、かつ/または高い信頼性を必要とする、様々なミッションクリティカルなアプリケーションの要件に悪影響を及ぼすことがある。したがって、従属エンティティ204は、非スケジュールドアップリンク送信において、スケジューリングエンティティ202にそのようなミッションクリティカルなデータを送信し得る。
【００４１】
ただし、非スケジュールドアップリンク送信を試みる従属エンティティ204は、どの時間周波数リソースが他のスケジュールド送信または非スケジュールド送信のためにすでに割り振られているかについてのいかなる情報も有していないことがある。加えて、従属エンティティ204は、他のアップリンク送信からの干渉を克服し、かつ/または他のアップリンク送信への影響を低減するために必要とされる、送信電力に気づいていないことがある。従属エンティティ204はまた、他のアップリンク送信およびチャネル状態に鑑みて、どの多入力多出力(MIMO)ビームフォーミング設定が好ましいかに気づいていないこともある。したがって、非スケジュールドアップリンク送信は、進行中のスケジュールド送信から、または他の非スケジュールド送信から、著しい干渉を受け、ミッションクリティカルなデータの再送信を必要とすることがあり、それによって、そのような送信において許容できない遅延を生じ得る。
【００４２】
したがって、本開示の態様によれば、スケジューリングエンティティ202は、たとえば、DL制御チャネル208において、従属エンティティ204に、非スケジュールドアップリンク送信において使用するために推奨される1つまたは複数のリソースを示す、非スケジュールド支援情報を提供し得る。本明細書で使用する「リソース」という用語は、タイムスロット、周波数、送信電力設定、変調およびコーディング方式、ならびに/または多入力多出力(MIMO)プリコーディングおよびランク選定を指す。したがって、非スケジュールド支援情報は、たとえば、非スケジュールドアップリンク送信において使用するために推奨される、1つまたは複数のタイムスロット、周波数、送信電力設定、変調およびコーディング方式、ならびに/またはMIMOビームフォーミング設定を示し得る。次いで、従属エンティティ204は、他のアップリンク送信との衝突を回避するために、または、いかなるそのような衝突の影響をも軽減するために、この非スケジュールド支援情報を使用して、非スケジュールド送信のためのリソースを選択し得る。たとえば、従属エンティティ204は、スケジューリングエンティティがいかなる他のスケジュールドアップリンク送信にも割り当てていないリソースを選択し得る。別の例として、従属エンティティ204は、スケジューリングエンティティ202の近くの別の従属エンティティに割り当てられるリソースを選択し得、それによって、非スケジュールドアップリンク送信が衝突によって影響を受けないように、スケジューリングエンティティ202が、近くの従属エンティティの干渉除去を実行することを可能にし得る。
【００４３】
図3は、処理システム314を採用するスケジューリングエンティティ300のためのハードウェア実装形態の一例を示す概念図である。たとえば、スケジューリングエンティティ300は、図1または図2のうちのいずれか1つまたは複数において示されているようなユーザ機器(UE)であり得る。別の例では、スケジューリングエンティティ300は、図1または図2のうちのいずれか1つまたは複数において示されているような基地局であり得る。
【００４４】
スケジューリングエンティティ300は、1つまたは複数のプロセッサ304を含む、処理システム314とともに実装され得る。プロセッサ304の例には、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明する様々な機能を実行するように構成された他の好適なハードウェアがある。様々な例では、スケジューリングエンティティ300は、本明細書で説明する機能のうちのいずれか1つまたは複数を実行するように構成され得る。すなわち、プロセッサ304は、スケジューリングエンティティ300内で利用されるとき、以下で説明するプロセスのうちのいずれか1つまたは複数を実装するために使用され得る。
【００４５】
この例では、処理システム314は、バス302によって全般的に表されるバスアーキテクチャを用いて実装され得る。バス302は、処理システム314の特定の適用例および全体的な設計制約に応じて、任意の数の相互接続するバスおよびブリッジを含み得る。バス302は、(プロセッサ304によって全般的に表される)1つまたは複数のプロセッサ、メモリ305、および(コンピュータ可読媒体306によって全般的に表される)コンピュータ可読媒体を含む、様々な回路を互いにリンクさせる。バス302は、タイミングソース、周辺装置、電圧調整器、および電力管理回路などの様々な他の回路をリンクさせることもできるが、これらの回路は当技術分野でよく知られており、したがって、これ以上は説明しない。バスインターフェース308が、バス302とトランシーバ310との間のインターフェースを提供する。トランシーバ310は、送信媒体上の様々な他の装置と通信するための手段を提供する。装置の性質に応じて、ユーザインターフェース312(たとえば、キーパッド、ディスプレイ、タッチスクリーン、スピーカー、マイクロフォン、ジョイスティック)もまた設けられ得る。
【００４６】
プロセッサ304は、バス302を管理すること、およびコンピュータ可読媒体306上に記憶されたソフトウェアの実行を含む全般的な処理を担う。ソフトウェアは、プロセッサ304によって実行されると、処理システム314に、任意の特定の装置のための以下で説明する様々な機能を実行させる。コンピュータ可読媒体306は、ソフトウェアを実行するとき、プロセッサ304によって操作されるデータを記憶するために使用されてもよい。
【００４７】
処理システム内の1つまたは複数のプロセッサ304は、ソフトウェアを実行し得る。ソフトウェアは、ソフトウェア、ファームウェア、ミドルウェア、マイクロコード、ハードウェア記述言語と呼ばれるか、または他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数などを意味するように広く解釈されるものとする。ソフトウェアは、コンピュータ可読媒体306上に存在し得る。コンピュータ可読媒体306は、非一時的コンピュータ可読媒体であり得る。非一時的コンピュータ可読媒体には、例として、磁気ストレージデバイス(たとえば、ハードディスク、フロッピー(登録商標)ディスク、磁気ストリップ)、光ディスク(たとえば、コンパクトディスク(CD)またはデジタル多用途ディスク(DVD))、スマートカード、フラッシュメモリデバイス(たとえば、カード、スティック、またはキードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、リムーバブルディスク、ならびにコンピュータによってアクセスされ、読み取られ得るソフトウェアおよび/または命令を記憶するための任意の他の好適な媒体が含まれる。コンピュータ可読媒体にはまた、例として、搬送波、伝送線路、およびコンピュータによってアクセスされ、読み取られ得るソフトウェアおよび/または命令を送信するための任意の他の好適な媒体が含まれ得る。コンピュータ可読媒体306は、処理システム314内に存在するか、処理システム314の外部にあるか、または処理システム314を含む複数のエンティティにわたって分散する場合がある。コンピュータ可読媒体306は、コンピュータプログラム製品において具現化され得る。例として、コンピュータプログラム製品は、パッケージング材料の中のコンピュータ可読媒体を含み得る。特定の適用例およびシステム全体に課される全体的な設計制約に応じて、本開示全体にわたって提示された説明した機能を実施するための最善の方法を、当業者は認識されよう。
【００４８】
本開示のいくつかの態様では、プロセッサ304は、時間周波数リソースのリソース割当てまたは許可を生成、スケジュール、および修正するように構成された、リソース割当ておよびサブフレーム制御回路341を含み得る。たとえば、リソース割当ておよびサブフレーム制御回路341は、各々が複数の従属エンティティとの間でデータおよび/または制御情報を搬送するために割り当てられた時間周波数リソースを含む、1つまたは複数のサブフレームを生成し得る。リソース割当ておよびサブフレーム制御回路341は、リソース割当ておよびサブフレーム制御ソフトウェア351と協調して動作し得る。
【００４９】
プロセッサ304は、ダウンリンクデータおよび制御チャネルを生成および送信するように構成された、ダウンリンク(DL)データおよび制御チャネル生成および送信回路342をさらに含み得る。DLデータおよび制御チャネル生成および送信回路342は、リソース割当ておよびサブフレーム制御回路341と協調して動作して、DLデータおよび/または制御情報をスケジュールし、DLデータおよび/または制御情報を、DLデータおよび/または制御情報に割り当てられたリソースに従って、リソース割当ておよびサブフレーム制御回路341によって生成された1つまたは複数のサブフレーム内で、時分割複信(TDD)キャリアまたは周波数分割複信(FDD)キャリアなどのキャリア上に配置し得る。DLデータおよび制御チャネル生成および送信回路342は、DLデータおよび制御チャネル生成および送信ソフトウェア352とさらに協調して動作し得る。
【００５０】
プロセッサ304は、1つまたは複数の従属エンティティから、アップリンク制御チャネルおよびアップリンクデータチャネルを受信および処理するように構成された、アップリンク(UL)データおよび制御チャネル受信および処理回路343をさらに含み得る。いくつかの例では、ULデータおよび制御チャネル受信および処理回路343は、1つまたは複数の従属エンティティからスケジューリング要求を受信するように構成され得、スケジューリング要求は、アップリンクユーザデータ送信のために時間周波数リソースの許可を要求するように構成される。他の例では、ULデータおよび制御チャネル受信および処理回路343は、1つまたは複数の従属エンティティから肯定応答情報(たとえば、肯定応答/否定応答パケット)を受信および処理するように構成され得る。ULデータおよび制御チャネル受信および処理回路343は、リソース割当ておよびサブフレーム制御回路341と協調して動作して、受信されたUL制御チャネル情報に従って、ULデータ送信、DLデータ送信、および/またはDLデータ再送信をスケジュールし得る。ULデータおよび制御チャネル受信および処理回路343は、ULデータおよび制御チャネル受信および処理ソフトウェア353とさらに協調して動作し得る。
【００５１】
プロセッサ304は、分散非スケジュールドアップリンク送信において、1つまたは複数の従属エンティティによって使用するために推奨される少なくとも1つのリソースを示す、非スケジュールド支援情報を決定するために構成された、非スケジュールド支援情報決定回路344をさらに含み得る。たとえば、非スケジュールド支援情報は、アップリンク送信において使用するために利用可能な、ならびに、従属エンティティが非スケジュールドアップリンク送信を生成および送信するときに使用するために推奨される、リソースのサブセットを識別し得る。本明細書で使用する「利用可能なリソース」という用語は、タイムスロット、周波数、送信電力設定、変調およびコーディング方式、MIMOビームフォーミング設定、ならびに、従属エンティティ(UE)がスケジューリングエンティティに向かうアップリンク送信において利用し得る他のリソースを指す。
【００５２】
いくつかの例では、非スケジュールド支援情報は、非スケジュールドアップリンク送信において使用するために推奨されるリソースのサブセットの確率分布を含み得る。確率分布は、従属エンティティが、利用可能なリソースのサブセットから各リソースを選択することになる、それぞれの確率を示す。非ゼロ確率を有するすべてのリソースは、利用可能なリソースの推奨サブセット内に含まれる。一例では、確率分布は、特定のリソース(たとえば、タイムスロット、周波数、送信電力設定、変調およびコーディング方式、MIMOビームフォーミング設定など)に各々対応する、複数の確率分布を含み得る。別の例では、確率分布は、2つ以上のリソースの組合せを表し得る(すなわち、各確率が、2つ以上のリソースの特定の組合せに関連付けられる)。
【００５３】
たとえば、確率分布は、非ゼロ確率を、従属エンティティがその周波数/周波数帯域から周波数リソースを選択することになる、各推奨周波数/周波数帯域に割り当て得る。いくつかの例では、確率分布は、異なる帯域幅領域を異なるように優先させる、非均一分布であり得る。いくつかの例では、確率分布は、従属エンティティが2つ以上の推奨リソースの各組合せを選択することになる、それぞれの確率を示す。たとえば、確率分布は、周波数/周波数帯域と、各周波数/周波数帯域のためのタイムスロットの両方を含み得る。確率分布は、各周波数/周波数帯域のための空間リソースをさらに示し得る。別の例として、確率分布は、従属エンティティが、各送信電力設定、変調およびコーディング方式、ならびに/またはMIMOビームフォーミング設定を選択することになる、それぞれの非ゼロ確率を示し得る。確率分布は、従属エンティティが、各周波数/周波数帯域、および/またはタイムスロットのための、各送信電力設定、変調およびコーディング方式、ならびに/またはMIMOビームフォーミング設定を選択することになる、非ゼロ確率をさらに示し得る。
【００５４】
いくつかの例では、非スケジュールド支援情報決定回路344は、他のスケジュールドまたは非スケジュールドアップリンク送信のために現在使用中の周波数(または、周波数帯域)に基づいて、確率分布を決定する。たとえば、周波数f1およびf2が、他のスケジュールドまたは非スケジュールドアップリンク送信のために現在使用中である場合、非スケジュールド支援情報決定回路344は、低確率を周波数f1およびf2に割り当て得るが、周波数f3およびf4が、現在使用中ではない場合、非スケジュールド支援情報決定回路344は、高確率を周波数f3およびf4に割り当て得る。非ゼロ確率を割り当てられたいかなる周波数も、推奨周波数のサブセット内に含まれるが、割り当てられた確率が低い場合、いくつかの周波数は、「あまり」推奨「されない」ことがある。
【００５５】
非スケジュールド支援情報決定回路344は、特定の確率を各リソースに割り当てるとき、リンクの品質、特定の時間/周波数リソースが利用され得る見込み、各周波数/周波数帯域におけるローディングレベル、および/または他のファクタをさらに考慮し得る。加えて、異なる確率分布が、各従属エンティティが非スケジュールドアップリンク送信の間の衝突の可能性を低減するために決定され得る。
【００５６】
1つまたは複数のリソースのための確率分布に加えて、またはその代替として、非スケジュールド支援情報は、時間リソース情報、周波数リソース情報、送信電力設定情報、変調およびコーディング方式情報、多入力多出力(MIMO)プリコーディングおよびランク選定情報、ならびに/または利用リソース情報をさらに含み得る。たとえば、時間リソース情報は、それにおいて非スケジュールドアップリンク送信が1つまたは複数の周波数(または、周波数帯域)上で開始するべきである、1つまたは複数の推奨タイムスロットを示し得る。一態様では、非スケジュールド支援情報決定回路344は、いつスケジュールドアップリンク送信が終了するかを決定し、非スケジュールドアップリンク送信のために使用するための、スケジュールドアップリンク送信に続く次に利用可能なタイムスロットを推奨し得る。
【００５７】
別の例として、周波数リソース情報は、非スケジュールドアップリンク送信のために推奨される1つまたは複数の周波数(または、周波数帯域)を示し得る。推奨周波数/周波数帯域は、静的に構成され得、周波数のブロックが、現在の周波数リソース使用量に基づいて、主に非スケジュールドアップリンク送信のために予約され得るか、または動的に構成され得るようになる。一態様では、非スケジュールド支援情報決定回路344は、利用可能な帯域幅を周波数ブロックに分割し、各周波数ブロック内で使用中の周波数の数を、しきい値と比較し得る。特定の周波数ブロック内で使用中の周波数/周波数帯域の数が、しきい値と比較すると好都合である(すなわち、使用中の周波数/周波数帯域の数が、しきい値未満である)場合、特定の周波数ブロックは、非スケジュールドアップリンク送信において使用するために推奨され得る。
【００５８】
別の例として、送信電力設定情報は、非スケジュールドアップリンク送信のために推奨される特定の送信電力を示し得る。推奨送信電力は、他のスケジュールドおよび/または非スケジュールド送信からの干渉を克服し、かつ/あるいはそれにおける影響を低減するように働き得る。推奨送信電力は、ULデータおよび制御チャネル受信および処理回路343の処理能力に基づいて決定され得る。たとえば、推奨送信電力は、ULデータおよび制御チャネル受信および処理回路343が干渉除去を実行することが可能であるか否かに基づいて決定され得る。
【００５９】
別の例として、変調およびコーディング方式情報は、非スケジュールドアップリンク送信のために利用するための1つまたは複数の推奨変調およびコーディング方式(MCS)を示し得る。各MCSは、たとえば、特定の数の空間ストリームのための特定のコーディングレート(たとえば、1/2、2/3、3/4、5/6など)とともに、特定の変調タイプ(たとえば、BPSK、QPSK、16-QAM、または64-QAM)を示し得る。一態様では、非スケジュールド支援情報決定回路344は、干渉の影響を補償するために、より低いMCSを推奨し得る。
【００６０】
別の例として、MIMOプリコーディングおよびランク選定情報は、非スケジュールドアップリンク送信のために利用するための1つまたは複数の推奨MIMOプリコーディングおよびランク選定を示し得る。各MIMOプリコーディングおよびランク選定は、たとえば、送信されるべきストリームの数(すなわち、ランク)と、各ストリームに適用されるべきプリコーディングを提供するあらかじめ定義されたコードブック内のエントリとを示し得る。たとえば、各コードブックエントリは、各ストリームに適用されるべき特定の重み(位相および振幅)を示し得、各ストリームをアンテナにさらにマッピングし得る。推奨MIMOプリコーディングおよびランク選定は、干渉を最小限に抑えるMIMOビームフォーミング方向を作成するために、従属エンティティによって利用され得る。一態様では、推奨MIMOプリコーディングおよびランク選定は、進行中のスケジュールドおよび/または非スケジュールド送信に基づいて、非スケジュールド支援情報決定回路344によって選択され得る。推奨MIMOプリコーディングおよびランク選定はまた、それぞれの現在のチャネル状態に基づいて、各従属エンティティのために個々に選択され得る。
【００６１】
別の例として、利用リソース情報は、他のアップリンク送信のために現在使用中のアップリンクリソースを示し得る。いくつかの例では、利用リソース情報は、非スケジュールドアップリンク送信のために使用することを回避するための、1つまたは複数の周波数帯域(すなわち、周波数サブキャリア)、および/あるいは、1つまたは複数のタイムスロットを示し得る。非スケジュールドアップリンク送信のために回避するための1つまたは複数のリソースを示すことによって、利用リソース情報は、それによって、非スケジュールドアップリンク送信において使用するために推奨される1つまたは複数のリソース(たとえば、現在使用中ではない時間/周波数リソース)を暗黙的に示す。一態様では、非スケジュールド支援情報決定回路344は、スケジュールドおよび/または非スケジュールドアップリンク送信のために現在使用中の1つまたは複数の時間周波数リソースを決定し、非スケジュールドアップリンク制御情報および/またはデータを送るとき、従属エンティティがそれらのリソースを使用することを回避することを推奨し得る。たとえば、非スケジュールド支援情報決定回路344は、利用可能な帯域幅を周波数ブロックに分割し、各周波数ブロック内で使用中の周波数/周波数帯域の数を、しきい値と比較し得る。特定の周波数ブロック内で使用中の周波数/周波数帯域の数が、しきい値と比較すると不都合である(すなわち、使用中の周波数/周波数帯域の数が、しきい値を超える)場合、非スケジュールド支援情報決定回路344は、非スケジュールドアップリンク送信においてその特定の周波数ブロックを使用することを回避することを推奨し(それによって、非スケジュールドアップリンク送信において他の周波数ブロックを使用することを暗黙的に推奨し)得る。
【００６２】
非スケジュールド支援情報は、時間リソース情報、周波数リソース情報、送信電力設定情報、変調およびコーディング方式情報、MIMOプリコーディングおよびランク選定情報、ならびに利用リソース情報のうちの2つ以上の組合せをさらに含み得る。たとえば、非スケジュールド支援情報は、異なる周波数帯域のための異なる電力設定を推奨し得る。
【００６３】
非スケジュールド支援情報決定回路344は、セルの間で非スケジュールド支援情報を協調させ、セル間干渉を回避するために、(たとえば、セル間シグナリングを利用して)他のスケジューリングエンティティと非スケジュールド支援情報をさらに交換し得る。いくつかの例では、非スケジュールド支援情報は、複数のスケジューリングエンティティの間で静的に構成される非スケジュールドアップリンク送信のための推奨周波数を含み得る。
【００６４】
非スケジュールド支援情報決定回路344は、非スケジュールド支援情報を、ダウンリンク制御チャネル(たとえば、PDCCHまたはEPDCCH)上で送信される制御メッセージ内に含めるために、DLデータおよび制御チャネル生成および送信回路342に、非スケジュールド支援情報をさらに提供し得る。メッセージは、ユニキャストメッセージ(たとえば、特定の従属エンティティを宛先として有するメッセージ)、またはブロードキャストメッセージであり得る。メッセージは、動的な方法(たとえば、各サブフレーム)において、または半静的な方法において(たとえば、半永続的スケジューリング情報の一部として、または無線リソース制御メッセージの時間フレームに沿って)さらに送信され得る。たとえば、各サブフレームは、前のサブフレーム中に含まれた非スケジュールド支援情報と同じであるか、または異なり得る、それぞれの非スケジュールド支援情報を含むそれぞれの制御メッセージを含み得る。非スケジュールド支援情報決定回路344は、分散非スケジュールド支援情報決定ソフトウェア354と協調して動作し得る。
【００６５】
図4は、処理システム414を採用する例示的な従属エンティティ400のためのハードウェア実装形態の一例を示す概念図である。本開示の様々な態様によれば、要素、もしくは要素の任意の一部分、または要素の任意の組合せは、1つまたは複数のプロセッサ404を含む処理システム414を用いて実装され得る。たとえば、従属エンティティ400は、図1または図2のうちのいずれか1つまたは複数において示されているようなユーザ機器(UE)であり得る。
【００６６】
処理システム414は、バスインターフェース408、バス402、メモリ405、プロセッサ404、およびコンピュータ可読媒体406を含めて、図3に示された処理システム314と実質的に同じであり得る。さらに、従属エンティティ400は、図3において上記で説明したものとほぼ同様のユーザインターフェース412およびトランシーバ410を含み得る。従属エンティティ400内で利用されるようなプロセッサ404は、以下で説明するプロセスのうちのいずれか1つまたは複数を実装するために使用され得る。
【００６７】
本開示のいくつかの態様では、プロセッサ404は、アップリンクキャリアの1つまたは複数のサブフレーム内で、ULデータチャネル上でアップリンクデータを生成および送信するように、ならびに、アップリンクキャリアの1つまたは複数のサブフレーム内で、UL制御チャネル上でアップリンク制御/フィードバック/肯定応答情報を生成および送信するように構成された、アップリンク(UL)データおよび制御チャネル生成および送信回路442を含み得る。アップリンクキャリアは、たとえば、時分割複信(TDD)キャリア、または周波数分割複信(FDD)キャリアであり得る。ULデータおよび制御チャネル生成および送信回路442は、ULデータおよび制御チャネル生成および送信ソフトウェア452と協調して動作し得る。
【００６８】
プロセッサ404は、データチャネル上でダウンリンクデータを受信および処理し、1つまたは複数のダウンリンク制御チャネル上で制御情報を受信および処理するように構成された、ダウンリンク(DL)データおよび制御チャネル受信および処理回路444をさらに含み得る。一態様では、制御情報は、非スケジュールド支援情報415を含み得る。いくつかの例では、非スケジュールド支援情報415など、受信されたダウンリンクデータおよび/または制御情報は、メモリ405内に記憶され得る。DLデータおよび制御チャネル受信および処理回路444は、DLデータおよび制御チャネル受信および処理ソフトウェア454と協調して動作し得る。
【００６９】
プロセッサ404は、非スケジュールドアップリンク送信を生成および送信するべきか否かを決定するために構成された、非スケジュールドUL送信決定回路446をさらに含み得る。たとえば、アップリンクデータは、スケジュールド動作モードを使用して満たされないことがある遅延および信頼性要件を有する、ドローンまたはロボットに関係する制御アプリケーションなど、ミッションクリティカルなアプリケーションから受信され得る。ミッションクリティカルなアップリンクデータを受信すると、非スケジュールドUL送信決定回路446は、ミッションクリティカルなアップリンクデータが(たとえば、スケジューリングエンティティからのリソースの許可を待機することなしに)非スケジュールドアップリンク送信において送信されるべきであると決定し得る。次いで、非スケジュールドUL送信決定回路446は、ULデータおよび制御チャネル生成および送信回路442と協調して、ミッションクリティカルなアップリンクデータを含む非スケジュールドアップリンク送信を生成し得る。いくつかの例では、スケジューリング要求は、必要な場合、再送信のためのリソースの許可を与えるために、非スケジュールドアップリンク送信と並行して送られ得る。
【００７０】
プロセッサ404は、非スケジュールドUL送信決定回路446と協調して、ULデータおよび制御チャネル生成および送信回路442を介した非スケジュールドアップリンク送信のために、1つまたは複数のリソースを選択するために構成された、非スケジュールドリソース選択回路447をさらに含み得る。本開示の一態様では、選択されたリソースは、タイムスロット、周波数、送信電力設定、変調およびコーディング方式、ならびに/またはMIMOビームフォーミング設定を含み得る。非スケジュールドリソース選択回路447は、非スケジュールド支援情報415に基づいて、利用可能なアップリンクリソースから、選択されたリソースを選択し得る。利用可能なアップリンクリソースは、スケジュールドまたは非スケジュールドであり得る、アップリンク送信において使用するために従属エンティティにとって利用可能なすべてのリソース(たとえば、タイムスロット、周波数、送信電力設定、変調およびコーディング方式、ならびにMIMOビームフォーミング設定)を含む。利用可能なアップリンクリソースは、たとえば、スケジューリングエンティティから受信された制御情報(たとえば、同期信号において、ならびに/またはMIBおよび/もしくはSIB内で与えられた、時間周波数リソース情報)、スケジューリングエンティティおよび従属エンティティによって維持された、MIMOプリコーディングおよびランク選定を含む、あらかじめ定義されたコードブック、スケジューリングエンティティおよび従属エンティティによって維持された、変調およびコーディング方式(MCS)オプション、ならびに、スケジューリングエンティティおよび従属エンティティによって維持された、アップリンク送信電力設定オプションに基づいて決定され得る。非スケジュールド支援情報415は、非スケジュールドアップリンク送信において使用するために推奨される利用可能なリソースのサブセットを識別する。
【００７１】
いくつかの例では、非スケジュールドリソース選択回路447は、DLデータおよび制御チャネル受信および処理回路444から非スケジュールド支援情報415を受信するか、または、メモリ405から非スケジュールド支援情報415を取り出し、非スケジュールド支援情報415に基づいて、非スケジュールドアップリンク送信のために、1つまたは複数のリソースを選択し得る。いくつかの例では、非スケジュールド支援情報は、各々が1つまたは複数のリソースのための、1つまたは複数の確率分布を含み、非スケジュールドリソース選択回路447は、確率分布に従ってランダムに非スケジュールド送信のために使用されるべきリソースを選択する。たとえば、非スケジュールドリソース選択回路447は、1つまたは複数のリソースを選択するために、受信された確率分布に従ってプログラムされた、乱数発生器回路448を利用し得る。一例では、確率分布は、4つの周波数(f1〜f4)の各々のための以下の確率、すなわち、
f1=10%
f2=10%
f3=40%
f4=40%
を示し得る。
非スケジュールドリソース選択回路447は、乱数発生器回路448が、時間の10%に周波数f1、時間の10%に周波数f2、時間の40%に周波数f3、および時間の40%に周波数f4をランダムに選択するように、乱数発生器回路448をプログラムし得る。いくつかの例では、非スケジュールドリソース選択回路447は、送信されているデータのタイプ(すなわち、より緊急のデータが、確率分布情報を利用することなしに送信され得る)、1つもしくは複数の周波数において測定された干渉、または他のファクタに基づいて、ゼロ確率を有するリソース(すなわち、推奨リソースのサブセット内に含まれないリソース)を選択し得る。
【００７２】
1つまたは複数のリソースのための確率分布に加えて、またはその代替として、非スケジュールド支援情報は、時間リソース情報、周波数リソース情報、送信電力設定情報、変調およびコーディング方式情報、多入力多出力(MIMO)プリコーディングおよびランク選定情報、ならびに/または利用リソース情報をさらに含み得る。非スケジュールド支援情報に基づいて、非スケジュールドリソース選択回路447は、推奨周波数および/またはタイムスロットを選択するか、あるいは非スケジュールドアップリンク送信のために現在使用中ではない周波数および/またはタイムスロットを選択し得る。別の例として、非スケジュールドリソース選択回路447は、推奨送信電力設定を選択するが、非スケジュールドアップリンク送信において使用するために推奨されないタイムスロットおよび/または周波数を利用し得る。したがって、非スケジュールドリソース選択回路447は、非スケジュールドアップリンク送信のためのリソースを選択するとき、非スケジュールド支援情報415を考慮し得るが、非スケジュールドリソース選択回路447は、非スケジュールド支援情報における推奨リソースに制限されない。
【００７３】
非スケジュールドリソース選択回路447は、非スケジュールドリソース選択ソフトウェア457と協調して動作し得る。加えて、乱数発生器回路448は、乱数発生器ソフトウェア458と協調して動作し得る。
【００７４】
処理システム内の1つまたは複数のプロセッサ404は、ソフトウェアを実行し得る。ソフトウェアは、ソフトウェア、ファームウェア、ミドルウェア、マイクロコード、ハードウェア記述言語と呼ばれるか、または他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数などを意味するように広く解釈されるものとする。ソフトウェアは、コンピュータ可読媒体406上に存在し得る。コンピュータ可読媒体406は、非一時的コンピュータ可読媒体であり得る。非一時的コンピュータ可読媒体には、例として、磁気ストレージデバイス(たとえば、ハードディスク、フロッピー(登録商標)ディスク、磁気ストリップ)、光ディスク(たとえば、コンパクトディスク(CD)またはデジタル多用途ディスク(DVD))、スマートカード、フラッシュメモリデバイス(たとえば、カード、スティック、またはキードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、リムーバブルディスク、ならびにコンピュータによってアクセスされ、読み取られ得るソフトウェアおよび/または命令を記憶するための任意の他の好適な媒体が含まれる。コンピュータ可読媒体にはまた、例として、搬送波、伝送線路、およびコンピュータによってアクセスされ、読み取られ得るソフトウェアおよび/または命令を送信するための任意の他の好適な媒体が含まれ得る。コンピュータ可読媒体406は、処理システム414内に存在するか、処理システム414の外部にあるか、または処理システム414を含む複数のエンティティにわたって分散する場合がある。コンピュータ可読媒体406は、コンピュータプログラム製品において具現化され得る。例として、コンピュータプログラム製品は、パッケージング材料の中のコンピュータ可読媒体を含み得る。特定の適用例およびシステム全体に課される全体的な設計制約に応じて、本開示全体にわたって提示された説明した機能を実施するための最善の方法を、当業者は認識されよう。
【００７５】
図5は、衝突し得る時間周波数リソースを利用する、スケジュールドアップリンク送信および分散非スケジュールドアップリンク送信の一例を示す図である。図5では、時間が水平方向に示されており、周波数が垂直方向に示されている。簡単にするために、時間リソースは、6つのタイムスロットに分割されるものとして示されており、周波数リソースは、4つのサブキャリアに分割されるものとして示されている。生じた時間周波数リソースは、リソース要素のグリッドを形成し、各リソース要素が、特定のタイムスロットおよび周波数に対応する。
【００７６】
図5に示された例では、パケットXおよびYが、第1のユーザ機器(UE1)によって生成および送信され、パケットAおよびBが、第2のUE(UE2)によって生成および送信される。加えて、UE1は、スケジュールド送信モードで動作中であり、スケジュールド送信モードでは、パケットが、許可メッセージにおいて基地局によって許可されたリソース上で送信される。しかしながら、この例では、UE2は、非スケジュールドモードで動作中であり、非スケジュールドモードでは、パケットがランダムなリソース上で送信される。たとえば、UE2は、パケットAおよびBの送信のために、(簡単にするために、タイムスロットT1〜T6が示されている)時間504にわたって、分散的な方法でランダムに4つの周波数リソース502(F1、F2、F3、またはF4)のうちの1つを選択し得る。
【００７７】
図5に示された例では、タイムスロットT1の間に、UE1は、周波数F1上でパケットXを送信するようにスケジュールされる。UE2は、パケットAの送信のために、タイムスロットT1の間に、周波数F4をさらにランダムに選択する。各パケット(パケットAおよびX)は、異なる周波数上で送信されるので、パケットAおよびXの衝突は発生しない。しかしながら、タイムスロットT5の間に、UE1は、周波数F2上でパケットYを送信するようにスケジュールされ、UE2は、パケットBを送信するために周波数F2をさらにランダムに選択する。したがって、パケットBおよびYは衝突し、それによって、基地局(スケジューリングエンティティ)におけるパケットの復号に影響を与え得る。
【００７８】
図6は、非スケジュールド支援情報に基づいて選択された時間周波数リソースを利用する、スケジュールドアップリンク送信および非スケジュールドアップリンク送信の一例を示す図である。図6に示された例では、パケットXおよびYが、この場合も、スケジュールドモードで動作中のUE1によって生成および送信され、パケットAおよびBが、非スケジュールドモードで動作中のUE2によって生成および送信される。しかしながら、図6に示されているように、基地局は、UE(UE1およびUE2)に、制御チャネル602上で、非スケジュールド支援情報を含む制御メッセージ604を送信し、UEが許可なし(分散非スケジュールド)送信のために、周波数リソースF3およびF4のみを使用するべきであることを示す。加えて、基地局は、許可ベース送信のために、周波数F1およびF2をさらに優先的に使用し得る。したがって、周波数リソースF1およびF2は、非スケジュールドアップリンク送信において使用するために推奨されない周波数606に対応し、F3およびF4は、非スケジュールドアップリンク送信において使用するために推奨される周波数608に対応する。
【００７９】
図5の場合のように、タイムスロットT1の間に、パケットAおよびXは衝突せず、その理由は、各々が異なる周波数(それぞれ、F4およびF1)において送信されるからである。しかしながら、タイムスロットT5の間に、UE2は、非スケジュールド支援情報に基づいて、パケットBの送信のために、周波数F3を選択し、したがって、パケットBおよびYもまた衝突しない。したがって、非スケジュールド支援情報は、同じタイムスロットの間に両方のUEから送信されたパケットの衝突を防止し得る。
【００８０】
図7は、衝突し得る時間リソースを利用する非スケジュールドアップリンク送信の一例を示す図である。図7に示された例では、第1のユーザ機器(UE-X)は、パケット704を送信するために、8シンボルTTI(送信時間間隔)を有し、第2のユーザ機器(UE-Y)は、パケット708を送信するために、4シンボルTTIを有する。両方のUE(UE-XおよびUE-Y)は、非スケジュールドモードで動作中であり、(簡単にするために、タイムスロットT1〜T10が示されている)時間702にわたって、同じ周波数帯域(すなわち、同じ周波数サブキャリア)上で送信する。
【００８１】
図7に示されているように、UE-Xは、タイムスロットT1の間に、特定の周波数帯域上で、8シンボルTTI内でパケット704の非スケジュールド送信を開始する。UE-Yは、706によって示されるように、タイムスロットT2の間に、アップリンク送信のためのパケット708を受信する。UE-Yは、UE-Xの送信に気づいていないので、UE-Yは、タイムスロットT5において開始するその次の4シンボルTTIの開始において、同じ周波数帯域上でそのパケット708の送信を開始し得る。しかしながら、これによって、UEによって送信されたパケット704および708の衝突が生じ、それによって、基地局におけるそれらの復号に影響を及ぼし得る。
【００８２】
図8は、非スケジュールド支援情報に基づいて選択された時間リソースを利用する、非スケジュールドアップリンク送信の一例を示す図である。図8に示された例では、UE-Xは、依然として、タイムスロットT1の間に、そのパケット704の送信を開始する。しかしながら、基地局は、タイムスロットT2においてUE-Xの送信を検出し、タイムスロットT3において、UE(UE-XおよびUE-Y)に、制御チャネル802上で、非スケジュールド支援情報を含む制御メッセージ804を送信し、周波数帯域がタイムスロットT8まで現在使用中であることを示し得る。UE-Yは、非スケジュールド支援情報を受信し、周波数帯域が使用中であるという指示に基づいて、衝突を防止するために、タイムスロットT9まで、そのパケット708の送信を延期し得る。他の例では、UE-Yは、衝突を防止するために、そのパケットの送信を開始するために、タイムスロットT5において、異なる周波数帯域(すなわち、異なる周波数サブキャリア)を選択し得る。
【００８３】
当然、非スケジュールドアップリンク送信のために選択され得るリソースのこれらの例は、本発明のいくつかの概念を例示するために与えられるにすぎない。これらは本質的に例示にすぎず、他の例が本開示の範囲内に入り得ることは、当業者には理解されよう。
【００８４】
図9は、推奨リソースの確率分布の一例を示す図である。図示された確率分布900では、4つの周波数が推奨されるように示されており、各々がそれに関連付けられたそれぞれの確率を有する。たとえば、確率分布は、4つの周波数(f1〜f4)の各々のための以下の確率、すなわち、
f1=10%
f2=10%
f3=40%
f4=40%
を示す。
【００８５】
従属エンティティは、確率分布を利用して、非スケジュールドアップリンク送信のための4つの推奨周波数のうちの1つをランダムに選択し得る。たとえば、従属エンティティは、時間の10%に周波数f1をランダムに選択し、時間の10%に周波数f2をランダムに選択し、時間の40%に周波数f3をランダムに選択し、時間の40%に周波数f4をランダムに選択し得る。
【００８６】
図10は、非スケジュールド支援情報を利用する非スケジュールドアップリンク送信を容易にするための方法のフローチャート1000である。この方法は、上記で説明し、図3に示したスケジューリングエンティティ300によって、プロセッサもしくは処理システムによって、または説明した機能を実行するための任意の好適な手段によって実行され得る。
【００８７】
ブロック1002で、スケジューリングエンティティは、非スケジュールドアップリンク送信において、1つまたは複数の従属エンティティのセットによって使用するために推奨された1つまたは複数のリソースを示す、非スケジュールド支援情報を決定し得る。非スケジュールド支援情報は、たとえば、1つまたは複数のリソースの確率分布を含み得、かつ/あるいは、時間リソース情報、周波数リソース情報、送信電力設定情報、変調およびコーディング方式情報、多入力多出力(MIMO)プリコーディングおよびランク選定情報、ならびに/または、他のアップリンク送信のために使用中のアップリンクリソースを示す利用リソース情報を含み得る。非スケジュールド支援情報は、静的に構成されるか、あるいは、セルにおける現在のスケジュールドおよび/または非スケジュールドリソース使用量に基づいて動的に決定され得る。
【００８８】
たとえば、図3に関して上記で図示および説明した非スケジュールド支援情報決定回路344は、非スケジュールド支援情報を決定し得る。いくつかの例では、各々が1つまたは複数のリソースに対応する、1つまたは複数の確率分布は、他のスケジュールドまたは非スケジュールドアップリンク送信のために現在使用中の周波数(または、周波数帯域)、リンクの品質、特定の時間/周波数リソースが利用され得る見込み、各周波数/周波数帯域におけるローディングレベル、および/あるいは他のファクタに基づいて決定され得る。加えて、異なる確率分布が、各従属エンティティが非スケジュールドアップリンク送信の間の衝突の可能性を低減するために決定され得る。
【００８９】
ブロック1004で、スケジューリングエンティティは、従属エンティティのセットに、非スケジュールド支援情報を含む制御メッセージをさらに送信し得る。たとえば、(図3に関して上記で図示および説明した)非スケジュールド支援情報決定回路344は、非スケジュールド支援情報を、ダウンリンク制御チャネル(たとえば、PDCCHまたはEPDCCH)上で送信される制御メッセージ内に含めるために、(図3に関して上記で図示および説明した)DLデータおよび制御チャネル生成および送信回路342に、非スケジュールド支援情報をさらに提供し得る。制御メッセージは、ユニキャストメッセージおよび/またはブロードキャストメッセージであり得る。加えて、制御メッセージは、各サブフレーム内で、または他の規則的もしくは不規則な時間間隔において送信され得る。
【００９０】
ブロック1006で、スケジューリングエンティティは、従属エンティティから、非スケジュールドアップリンク送信を受信し得る。たとえば、図3に関して上記で図示および説明したULデータおよび制御チャネル受信および処理回路343は、非スケジュールドアップリンク送信を受信し得る。一態様では、非スケジュールドアップリンク送信は、非スケジュールド支援情報に基づいて選択された1つまたは複数のリソース(たとえば、タイムスロット、周波数、送信電力、および/またはMIMOビームフォーミング)を利用し得る。
【００９１】
図11は、非スケジュールド支援情報に基づく非スケジュールドアップリンク送信のための方法のフローチャート1100である。この方法は、上記で説明し、図4に示した従属エンティティ400によって、プロセッサもしくは処理システムによって、または説明した機能を実行するための任意の好適な手段によって実行され得る。
【００９２】
ブロック1102で、従属エンティティは、スケジューリングエンティティから、非スケジュールドアップリンク送信において使用するために推奨された利用可能なリソースのサブセットを識別する、非スケジュールド支援情報を受信し得る。たとえば、図4に関して上記で図示および説明したDLデータおよび制御チャネル受信および処理回路444は、非スケジュールド支援情報を受信し得る。非スケジュールド支援情報は、たとえば、1つまたは複数のリソースの確率分布、ならびに/または、時間リソース情報、周波数リソース情報、送信電力設定情報、変調およびコーディング方式情報、多入力多出力(MIMO)プリコーディングおよびランク選定情報、ならびに/または、他のアップリンク送信のために使用中のアップリンクリソースを示す利用リソース情報を含み得る。
【００９３】
ブロック1104で、従属エンティティは、非スケジュールド支援情報に基づいて、非スケジュールドアップリンク送信のために、利用可能なリソースから少なくとも1つのリソースを選択し得る。いくつかの例では、従属エンティティは、非スケジュールド支援情報に基づいて、特定の周波数、タイムスロット、送信電力、および/またはMIMOビームフォーミング設定を選択し得る。たとえば、図4に関して上記で図示および説明した非スケジュールドリソース選択回路447は、非スケジュールド支援情報に基づいて、少なくとも1つのリソースを選択し得る。一例では、非スケジュールドリソース選択回路447は、1つまたは複数のリソースを選択するために、受信された確率分布に従ってプログラムされた、(図4に関して上記で図示および説明した)乱数発生器回路448を利用し得る。
【００９４】
ブロック1106で、従属エンティティは、少なくとも1つの選択されたリソースを使用して、非スケジュールドアップリンク送信を生成および送信し得る。たとえば、図4に関して上記で図示および説明したULデータおよび制御チャネル生成および送信回路442は、非スケジュールドリソース選択回路447によって与えられた、選択されたリソースを使用して、非スケジュールドアップリンク送信を生成および送信し得る。
【００９５】
図12は、非スケジュールド支援情報に基づく非スケジュールドアップリンク送信のための別の方法のフローチャートである。この方法は、上記で説明し、図4に示した従属エンティティ400によって、プロセッサもしくは処理システムによって、または説明した機能を実行するための任意の好適な手段によって実行され得る。
【００９６】
ブロック1202で、従属エンティティは、スケジューリングエンティティから、非スケジュールドアップリンク送信において使用するために推奨された利用可能なリソースのサブセットを識別する、非スケジュールド支援情報を受信し得る。たとえば、図4に関して上記で図示および説明したDLデータおよび制御チャネル受信および処理回路444は、非スケジュールド支援情報を受信し得る。非スケジュールド支援情報は、たとえば、1つまたは複数のリソースの確率分布、ならびに/または、時間リソース情報、周波数リソース情報、送信電力設定情報、変調およびコーディング方式情報、多入力多出力(MIMO)プリコーディングおよびランク選定情報、ならびに/または、他のアップリンク送信のために使用中のアップリンクリソースを示す利用リソース情報を含み得る。
【００９７】
ブロック1204で、従属エンティティは、アップリンクサブキャリア上でスケジューリングエンティティに送信されるべき、アプリケーションからのデータを受信し得る。たとえば、従属エンティティ上で実行しているアプリケーションは、図4に関して上記で図示および説明した非スケジュールドUL送信決定回路446にデータを与え得る。ブロック1206で、従属エンティティは、データがミッションクリティカルなアプリケーションに関係付けられ、したがって、非スケジュールドアップリンク送信を介して送信される必要があり得るか否かを決定し得る。たとえば、非スケジュールドUL送信決定回路446は、データが遅延敏感であり、かつ/または高い信頼性を必要とするか否かを決定し得る。データが、ミッションクリティカルなアプリケーションに関係付けられない場合(ブロック1206のN分岐)、ブロック1208で、従属エンティティは、データの送信のための時間周波数アップリンクリソースの許可を要求するために、スケジューリングエンティティへのスケジューリング要求を生成および送信し得る。たとえば、図4に関して上記で図示および説明したULデータおよび制御チャネル生成および送信回路442は、スケジューリング要求を生成および送信し得る。
【００９８】
しかしながら、データが、ミッションクリティカルなアプリケーションに関係付けられる場合(ブロック1206のY分岐)、ブロック1210で、従属エンティティは、非スケジュールド支援情報に基づいて、非スケジュールドアップリンク送信のために、利用可能なリソースから少なくとも1つのリソースを選択し得る。たとえば、図4に関して上記で図示および説明した非スケジュールドリソース選択回路447は、たとえば、図11に関して上記で説明したように、乱数発生器448を使用して、非スケジュールド支援情報に基づいて、少なくとも1つのリソースを選択し得る。いくつかの例では、従属エンティティは、非スケジュールド支援情報に基づいて、特定の周波数、タイムスロット、送信電力、および/またはMIMOビームフォーミング設定を選択し得る。ブロック1212で、従属エンティティは、少なくとも1つの選択されたリソースを使用して、非スケジュールドアップリンク送信を生成および送信し得る。たとえば、ULデータおよび制御チャネル生成および送信回路442は、非スケジュールドリソース選択回路447によって与えられた、選択されたリソースを使用して、非スケジュールドアップリンク送信を生成および送信し得る。
【００９９】
ワイヤレス通信ネットワークのいくつかの態様が、例示的な実装形態を参照しながら提示されてきた。当業者が容易に諒解するように、本開示の全体にわたって説明した様々な態様は、他の電気通信システム、ネットワークアーキテクチャ、および通信規格に拡張され得る。
【０１００】
例として、様々な態様は、ロングタームエボリューション(LTE)、発展型パケットシステム(EPS)、ユニバーサルモバイル電気通信システム(UMTS)、および/またはモバイル用グローバルシステム(GSM(登録商標))など、3GPPによって定義された他のシステム内で実装され得る。様々な態様はまた、CDMA2000および/またはエボリューションデータオプティマイズド(EV-DO)など、第3世代パートナーシッププロジェクト2(3GPP2)によって定義されたシステムにも拡張され得る。他の例は、IEEE802.11(Wi-Fi)、IEEE802.16(WiMAX)、IEEE802.20、ウルトラワイドバンド(UWB)、Bluetooth(登録商標)を採用するシステム、および/または他の好適なシステム内で実装され得る。採用される実際の電気通信規格、ネットワークアーキテクチャ、および/または通信規格は、特定の適用例およびシステムに課される全体的な設計制約に依存する。
【０１０１】
本開示内で、「例示的」という言葉は、「例、事例、または例示としての役割を果たすこと」を意味するために使用される。「例示的」として本明細書で説明した任意の実装形態または態様は、必ずしも本開示の他の態様よりも好ましいまたは有利であると解釈されるべきではない。同様に、「態様」という用語は、本開示のすべての態様が、論じられる特徴、利点、または動作モードを含むことを必要としない。「結合される」という用語は、2つの物体間の直接的または間接的な結合を指すために本明細書で使用される。たとえば、物体Aが物体Bに物理的に接触し、物体Bが物体Cに接触する場合、物体AおよびCは、それらが互いに物理的に直接接触しない場合であっても、依然として互いに結合されていると見なされ得る。たとえば、第1の物体が第2の物体と決して直接的に物理的に接触しないとしても、第1の物体は第2の物体に結合され得る。「回路(circuit)」および「回路(circuitry)」という用語は広く使用され、電子回路のタイプに関して限定せずに、接続され構成されると、本開示で説明する機能の実行を可能にする電気デバイスおよび導体のハードウェア実装形態、ならびに、プロセッサによって実行されると、本開示で説明する機能の実行を可能にする情報および命令のソフトウェア実装形態の両方を含むものとする。
【０１０２】
図1〜図6に示した構成要素、ステップ、特徴、および/または機能のうちの1つまたは複数は、単一の構成要素、ステップ、特徴、または機能に再編成され、かつ/または組み合わせられ、あるいは、いくつかの構成要素、ステップ、または機能において具現化され得る。また、本明細書で開示した新規の特徴から逸脱することなく、追加の要素、構成要素、ステップ、および/または機能が追加され得る。図1〜図5に示された装置、デバイス、および/または構成要素は、本明細書で説明した方法、特徴、またはステップのうちの1つまたは複数を実行するように構成され得る。また、本明細書で説明した新規のアルゴリズムは、ソフトウェアにおいて効率的に実装され、かつ/またはハードウェアに組み込まれ得る。
【０１０３】
開示した方法におけるステップの特定の順序または階層は、例示的なプロセスを示すものと理解されたい。設計上の選好に基づいて、方法におけるステップの特定の順序または階層が並べ替えられ得ることが理解される。添付の方法クレームは、例示的な順序で様々なステップの要素を提示し、特に記載されない限り、提示された特定の順序または階層に限定されることを意味しない。
【０１０４】
上述の説明は、本明細書で説明した様々な態様を当業者が実施できるようにするために提供される。これらの態様への様々な修正が当業者に容易に明らかになり、本明細書で定義した一般原理は他の態様に適用され得る。したがって、特許請求の範囲は本明細書で示した態様に限定されるものではなく、特許請求の範囲の文言と一致する最大限の範囲を与えられるべきであり、単数形での要素の言及は、そのように明記されていない限り、「唯一無二の」ではなく、「1つまたは複数の」を意味することを意図している。別段に明記されていない限り、「いくつか(some)」という用語は、1つまたは複数を指す。項目の列挙「のうちの少なくとも1つ」を指す句は、単一のメンバーを含むそれらの項目の任意の組合せを指す。一例として、「a、b、またはcのうちの少なくとも1つ」は、a、b、c、aおよびb、aおよびc、bおよびc、ならびにa、bおよびcを包含することを意図している。当業者に知られているか、または後に知られることになる、本開示を通じて説明した様々な態様の要素に対するすべての構造的および機能的同等物は、参照により本明細書に明確に組み込まれ、特許請求の範囲によって包含されることが意図される。その上、本明細書に開示するものはいずれも、そのような開示が特許請求の範囲において明示的に列挙されているかどうかにかかわらず、公に供されるものではない。
【符号の説明】
【０１０５】
100  アクセスネットワーク
102  マクロセル、セル、サービングセル
104  マクロセル、セル
106  マクロセル、セル、ネイバーセル
108  スモールセル、セル
110  高電力基地局、基地局、サービング基地局
112  高電力基地局、基地局
114  第3の高電力基地局、高電力基地局、基地局
116  リモートラジオヘッド(RRH)、RRH
118  低電力基地局、基地局
120  クアッドコプターまたはドローン、モバイル基地局、基地局
122、124、126、128、130、132、134、136、140、142  UE
138  UE、スケジューリングエンティティ
202、300  スケジューリングエンティティ
204、400  従属エンティティ
206  データ、ダウンリンクデータ
208  制御チャネル、ダウンリンク制御チャネル、DL制御チャネル
210  アップリンクデータ
212  アップリンク制御情報、制御情報、制御チャネル、アップリンク制御チャネル
302、402  バス
304、404  プロセッサ
305、405  メモリ
306、406  コンピュータ可読媒体
308、408  バスインターフェース
310、410  トランシーバ
312、412  ユーザインターフェース
314、414  処理システム
341  リソース割当ておよびサブフレーム制御回路
342  ダウンリンク(DL)データおよび制御チャネル生成および送信回路、DLデータおよび制御チャネル生成および送信回路
343  アップリンク(UL)データおよび制御チャネル受信および処理回路、ULデータおよび制御チャネル受信および処理回路
344  非スケジュールド支援情報決定回路
351  リソース割当ておよびサブフレーム制御ソフトウェア
352  DLデータおよび制御チャネル生成および送信ソフトウェア
353  ULデータおよび制御チャネル受信および処理ソフトウェア
354  分散非スケジュールド支援情報決定ソフトウェア
415  非スケジュールド支援情報
442  アップリンク(UL)データおよび制御チャネル生成および送信回路、ULデータおよび制御チャネル生成および送信回路
444  ダウンリンク(DL)データおよび制御チャネル受信および処理回路、DLデータおよび制御チャネル受信および処理回路
446  非スケジュールドUL送信決定回路
447  非スケジュールドリソース選択回路
448  乱数発生器回路、乱数発生器
452  ULデータおよび制御チャネル生成および送信ソフトウェア
454  DLデータおよび制御チャネル受信および処理ソフトウェア
457  非スケジュールドリソース選択ソフトウェア
458  乱数発生器ソフトウェア
502  周波数リソース
504、702  時間
602、802  制御チャネル
604、804  制御メッセージ
606  非スケジュールドアップリンク送信において使用するために推奨されない周波数
608  非スケジュールドアップリンク送信において使用するために推奨される周波数
704、708  パケット
900  確率分布
【図１】
2019502304.tif 000003
【図２】
2019502304.tif 000004
【図３】
2019502304.tif 000005
【図４】
2019502304.tif 000006
【図５】
2019502304.tif 000007
【図６】
2019502304.tif 000008
【図７】
2019502304.tif 000009
【図８】
2019502304.tif 000010
【図９】
2019502304.tif 000011
【図１０】
2019502304.tif 000012
【図１１】
2019502304.tif 000013
【図１２】
2019502304.tif 000014
【国際調査報告】
2019502304.tif 000015
2019502304.tif 000016